(57)【要約】  本開示は、移動通信システムの第１の無線セル内のユーザ機器にサービスする無線基地局に関する。無線基地局は、隣接無線基地局がビームフォーム化参照信号をユーザ機器に供給していないと判定する処理回路を備える。隣接無線基地局は、その隣接無線セルにおいて全方向性参照信号およびビームフォーム化参照信号の送信を制御する。送信器が参照信号要求を隣接無線基地局へ送信する。参照信号要求は、隣接無線基地局にビームフォーム化参照信号をユーザ機器に供給するように要求する。受信器が、要求されたビームフォーム化参照信号の送信についての情報を含む参照信号要求応答を隣接無線基地局から受信する。送信器は、要求されたビームフォーム化参照信号についての情報を含むユーザ機器への通知を送信する。
2020519056.tif 000002
【特許請求の範囲】
【請求項１】
移動通信システムの第１の無線セル内のユーザ機器にサービスする無線基地局であって、
動作中に、隣接無線基地局がビームフォーム化参照信号を前記ユーザ機器に供給していないと判定する処理回路であって、前記隣接無線基地局が、その隣接無線セルにおいて全方向性参照信号および前記ビームフォーム化参照信号の送信を制御する、処理回路と、
動作中に、参照信号要求を前記隣接無線基地局へ送信する送信器であって、前記参照信号要求が前記隣接無線基地局に前記ビームフォーム化参照信号を前記ユーザ機器に供給するように要求する、送信器と、
動作中に、前記要求されたビームフォーム化参照信号の送信についての情報を含む参照信号要求応答を前記隣接無線基地局から受信する受信器と、
を備え、
前記送信器が、動作中に、前記要求されたビームフォーム化参照信号についての情報を含む前記ユーザ機器への通知メッセージを送信する、無線基地局。
【請求項２】
前記参照信号要求応答は、前記隣接無線基地局が前記要求されたビームフォーム化参照信号を前記ユーザ機器に供給しないことを知らせ、
任意選択で、前記ユーザ機器へ送信された前記通知メッセージは、前記要求されたビームフォーム化参照信号が前記ユーザ機器に供給されないことを知らせる、請求項１に記載の無線基地局。
【請求項３】
前記参照信号要求応答は、前記隣接無線基地局が前記要求されたビームフォーム化参照信号を前記ユーザ機器に供給することを知らせ、任意選択で、前記参照信号要求応答はさらに、前記要求されたビームフォーム化参照信号のスケジューリング情報を含み、任意選択で、前記スケジューリング情報が周波数領域および／または時間領域の無線リソースを識別し、
任意選択で、前記ユーザ機器へ送信された前記通知メッセージは、前記ユーザ機器が前記要求されたビームフォーム化参照信号を受信できるように、前記要求されたビームフォーム化参照信号のスケジューリング情報を含む、請求項１または２に記載の無線基地局。
【請求項４】
前記参照信号要求が前記ユーザ機器の位置を導出するための情報を含み、任意選択で、前記位置を導出するためのこの情報が、全地球測位システム座標、または前記ユーザ機器から受信された測定報告から計算された相対測定結果、または前記ユーザ機器から受信された測定報告を含み、
任意選択で、前記参照信号要求がさらに、前記隣接無線セルの識別情報を含む、請求項１乃至３のいずれか一項に記載の無線基地局。
【請求項５】
前記参照信号要求応答が、前記要求されたビームフォーム化参照信号を送信するためのビームのリストを含み、任意選択で、前記リスト中のビームごとに前記参照信号要求応答は、
前記要求されたビームフォーム化参照信号が前記隣接無線基地局から送信される期間についての継続期間情報、および／または
前記要求されたビームフォーム化参照信号が前記隣接無線基地局から送信される時間の周期性についての周期性情報
を含む、請求項１乃至４のいずれか一項に記載の無線基地局。
【請求項６】
前記受信器が、動作中に前記ユーザ機器から、少なくとも前記隣接無線セルに対して前記ユーザ機器によって行われた測定の１つまたは複数の結果を含む、測定報告を受信し、
前記処理回路は、動作中のときに、前記受信された測定報告に基づいて、前記隣接無線基地局が前記ビームフォーム化参照信号を前記ユーザ機器に供給していないと判定し、前記隣接無線セルについての前記１つまたは複数の測定結果が、前記全方向性参照信号に基づいて前記ユーザ機器によって行われた測定の結果を含むが、前記要求されたビームフォーム化参照信号に基づいて前記ユーザ機器によって行われた測定の結果は含まない場合に、前記参照信号要求を前記隣接無線基地局へ送信することを決定し、
任意選択で、測定結果は、前記測定報告中でフラグと関連付けられて、前記関連付けられた測定結果が前記全方向性参照信号および／または前記ビームフォーム化参照信号に基づいて計算されたかどうかを示し、かつ／または、測定結果が測定識別情報と関連付けられ、この識別情報に基づいて、前記処理回路は、動作中のときに、前記関連付けられた測定結果が前記全方向性参照信号および／または前記ビームフォーム化参照信号に基づいて計算されたかどうかを判定する、請求項１乃至５のいずれか一項に記載の無線基地局。
【請求項７】
前記受信器が、動作中のときに、前記隣接無線基地局によって供給されるべき前記ビームフォーム化参照信号を要求するユーザ機器開始の参照信号要求を前記ユーザ機器から受信し、
処理回路は、動作中のときに、前記受信したユーザ機器開始の参照信号要求に基づいて、前記隣接無線基地局がビームフォーム化参照信号を前記ユーザ機器に供給していないと判定し、
前記処理回路が、動作中のときに、前記受信したユーザ機器開始の参照信号要求に基づいて、前記参照信号要求を前記隣接無線基地局へ送信することを決定する、請求項１乃至６のいずれか一項に記載の無線基地局。
【請求項８】
前記ユーザ機器開始の参照信号要求は、前記隣接無線セルを識別する情報を含み、任意選択で、対応するビームフォーム化参照信号が要求される別の無線セルを少なくとも識別する情報を含み、
任意選択で、前記ユーザ機器開始の参照信号要求が媒体アクセス制御（ＭＡＣ）制御エレメントであり、前記ＭＡＣ制御エレメントが前記ユーザ機器開始の参照信号要求であることを識別する所定の論理チャネル識別子を含み、あるいは、前記ユーザ機器開始の参照信号要求がパケットデータ収束プロトコル制御パケットデータユニット（ＰＤＣＰ制御ＰＤＵ）であり、前記ＰＤＣＰ制御ＰＤＵが前記ユーザ機器開始の参照信号要求であることを識別する所定のタイプの識別子を含む、請求項７に記載の無線基地局。
【請求項９】
前記全方向性参照信号が、その参照信号を全方向に実質的に同時に送信することによって得られる、かつ／または、そのように全方向に送信されるように方向が適時に連続的に変えられるビームの形で参照信号を送信することによって得られる、請求項１乃至８のいずれか一項に記載の無線基地局。
【請求項１０】
前記無線基地局が、前記第１の無線セル内の第２の全方向性参照信号の送信と、前記第１の無線セル内の第２のビームフォーム化参照信号の送信とを制御し、
前記受信器が、動作中のときに、前記第２のビームフォーム化参照信号を別のユーザ機器に供給するように要求する別の無線基地局からの第２の参照信号要求を受信し、
前記処理回路が、動作中のときに、前記第２のビームフォーム化参照信号を前記別のユーザ機器に供給するかどうかを決定し、
前記第２のビームフォーム化参照信号を前記別のユーザ機器に供給する場合に、前記無線基地局が以下の、
前記第２のビームフォーム化参照信号の送信をオンに切り替えること、ならびに／または、前記別のユーザ機器が前記第２のビームフォーム化参照信号を受信できるように、前記第２のビームフォーム化参照信号の方向および／もしくは送信出力を変更することと、
スケジューリング情報を前記別の無線基地局へ、前記要求された第２のビームフォーム化参照信号に対して送信し、任意選択で、前記スケジューリング情報により、前記要求された第２のビームフォーム化参照信号を送信するために前記無線基地局によって使用される周波数領域および／または時間領域の無線リソースを識別すること、
任意選択で、前記第２のビームフォーム化参照信号が前記別のユーザ機器に供給されるべき期間を決定すること、
のうちの１つを少なくとも実行し、
前記第２のビームフォーム化参照信号を前記別のユーザ機器に供給しない場合に、前記無線基地局が、第２の参照信号要求応答を前記別の無線基地局へ送信して、前記無線基地局が前記要求された第２のビームフォーム化参照信号を前記別のユーザ機器に供給しないことを知らせる、請求項１乃至９のいずれか一項に記載の無線基地局。
【請求項１１】
前記処理回路が、動作中に、前記ユーザ機器を前記隣接無線基地局へハンドオーバするかどうかを、前記隣接無線セルに対して前記ユーザ機器によって行われた測定の結果を含む前記ユーザ機器から受信した測定報告に基づいて決定し、
肯定の場合、前記送信器が、動作中のときにハンドオーバ要求を前記隣接無線基地局へ送信する、請求項１乃至１０のいずれか一項に記載の無線基地局。
【請求項１２】
全方向性参照信号およびビームフォーム化参照信号の送信を無線基地局の第１の無線セルにおいて制御する、移動通信システムの前記無線基地局であって、
動作中に、前記ビームフォーム化参照信号についての情報を１つまたは複数の隣接無線基地局へ送信することを決定する処理回路と、
動作中に、前記ビームフォーム化参照信号を送信するために前記無線基地局によって使用される無線リソースを識別できるようにする前記ビームフォーム化参照信号のスケジューリング情報を含む参照信号通知メッセージを、前記１つまたは複数の隣接無線基地局へ送信する送信器と
を備える、無線基地局。
【請求項１３】
前記送信器が、動作中のときに、前記全方向性参照信号および前記ビームフォーム化参照信号を前記第１の無線セルにおいて送信し、任意選択で、前記処理回路が、動作中のときに、前記ビームフォーム化参照信号の送信をオフに切り替えるかどうか、または前記ビームフォーム化参照信号の方向を変更するかどうかを決定する、請求項１２に記載の無線基地局。
【請求項１４】
前記参照信号通知メッセージが前記第１の無線セルの識別情報を含み、前記ビームフォーム化参照信号を送信するためのビームのリストをさらに含み、任意選択で、前記リスト中のビームごとに前記参照信号通知メッセージが、
前記スケジューリング情報、および
前記ビームフォーム化参照信号が前記無線基地局から送信される期間についての継続期間情報、および／または
前記ビームフォーム化参照信号が前記無線基地局から送信される時間の周期性についての周期性情報
を含む、請求項１２または１３に記載の無線基地局。
【請求項１５】
前記参照信号通知メッセージが前記ビームフォーム化参照信号の識別情報を含み、前記送信器は、動作中のときに、前記ビームフォーム化参照信号の識別情報を含む別の参照信号通知メッセージを前記１つまたは複数の隣接無線基地局へ送信して、前記識別されたビームフォーム化参照信号が現在オンまたはオフに切り替えられていることを前記１つまたは複数の隣接無線基地局に知らせる、請求項１２乃至１４のいずれか一項に記載の無線基地局。
【請求項１６】
移動通信システムのユーザ機器であって、
動作中に、隣接無線基地局がビームフォーム化参照信号を前記ユーザ機器に供給していないと判定する処理回路であって、前記隣接無線基地局が、その隣接無線セルにおいて全方向性参照信号および前記ビームフォーム化参照信号の送信を制御する、処理回路と、
動作中に、参照信号要求を、前記ユーザ機器にサービスするサービング無線基地局へ送信する送信器であって、前記参照信号要求が、前記ビームフォーム化参照信号を前記ユーザ機器に供給するように前記隣接無線基地局に要求することを前記サービング無線基地局に要求するものである、送信器と、
動作中に、前記要求されたビームフォーム化参照信号についての情報を含む通知メッセージを前記サービング無線基地局から受信する受信器と、
を備える、ユーザ機器。
【請求項１７】
前記受信器が、動作中のときに、全方向性参照信号およびビームフォーム化参照信号を受信し、
前記処理回路が、動作中のときに、前記全方向性参照信号および前記ビームフォーム化参照信号の測定を行い、
前記処理回路が、動作中のときに、前記行われた測定の結果を含む測定報告を準備し、
任意選択で、測定結果が前記測定報告中でフラグと関連付けられて、前記関連付けられた測定結果が前記全方向性参照信号および／または前記ビームフォーム化参照信号に基づいて計算されたかどうかを示し、かつ／または、測定結果が測定識別情報と関連付けられ、この識別情報に基づいて、前記サービング無線基地局が、前記関連付けられた測定結果が前記全方向性参照信号および／または前記ビームフォーム化参照信号に基づいて計算されたかどうかを判定する、請求項１６に記載のユーザ機器。
【請求項１８】
前記ユーザ機器から送信される前記参照信号要求が、前記隣接無線基地局の隣接無線セルを識別する情報を含み、任意選択で、対応するビームフォーム化参照信号が要求される別の無線セルを少なくとも識別する情報を含み、
任意選択で、前記参照信号要求は媒体アクセス制御（ＭＡＣ）制御エレメントであり、前記ＭＡＣ制御エレメントが参照信号要求であることを識別する所定の論理チャネル識別子を含み、あるいは、前記参照信号要求はパケットデータ収束プロトコル制御パケットデータユニット（ＰＤＣＰ制御ＰＤＵ）であり、前記ＰＤＣＰ制御ＰＤＵが参照信号要求であることを識別する所定のタイプの識別子を含む、請求項１６または１７に記載のユーザ機器。
【請求項１９】
前記隣接無線セルを識別するための前記情報が、無線セル識別情報であるか、２つ以上のビットがあるビットマップであり、ビットマップのビットのそれぞれが、前記隣接セルに対し前記ユーザ機器によって準備された測定報告中の測定の結果と関連付けられており、それぞれの結果が前記隣接無線セルの無線セル識別情報と関連付けられている、請求項１８に記載のユーザ機器。
【請求項２０】
移動通信システムの第１の無線セル内のユーザ機器にサービスする無線基地局を動作させる方法であって、前記無線基地局によって実行される以下のステップ、すなわち、
隣接無線基地局がビームフォーム化参照信号を前記ユーザ機器に供給していないと判定するステップであって、前記隣接無線基地局が、その隣接無線セルにおいて全方向性参照信号および前記ビームフォーム化参照信号の送信を制御するステップと、
参照信号要求を前記隣接無線基地局へ送信するステップであって、前記参照信号要求が前記隣接無線基地局に前記ビームフォーム化参照信号を前記ユーザ機器に供給するように要求するステップと、
前記要求されたビームフォーム化参照信号の送信についての情報を含む参照信号要求応答を前記隣接無線基地局から受信するステップと、
前記要求されたビームフォーム化参照信号についての情報を含む前記ユーザ機器への通知メッセージを送信するステップと、を含む、方法。
【請求項２１】
移動通信システムのユーザ機器を動作させる方法であって、前記ユーザ機器によって実行される以下のステップ、すなわち、
隣接無線基地局がビームフォーム化参照信号を前記ユーザ機器に供給していないと判定するステップであって、前記隣接無線基地局が、その隣接無線セルにおいて全方向性参照信号および前記ビームフォーム化参照信号の送信を制御するステップと、
参照信号要求を、前記ユーザ機器にサービスするサービング無線基地局へ送信するステップであって、前記参照信号要求が、前記ビームフォーム化参照信号を前記ユーザ機器に供給するように前記隣接無線基地局に要求することを前記サービング無線基地局に要求するものであるステップと、
前記要求されたビームフォーム化参照信号についての情報を含む通知メッセージを前記サービング無線基地局から受信するステップと、を含む、方法。
【発明の詳細な説明】
【技術分野】
【０００１】
本開示は、３ＧＰＰ通信システムなどの通信システムに関する方法、デバイスおよび物品を対象とする。
【背景技術】
【０００２】
現在、第３世代パートナーシッププロジェクト（３ＧＰＰ）では、第５世代（５Ｇ）とも呼ばれる次世代セルラー技術の技術仕様のリリース（Ｒｅｌｅａｓｅ１５）に向けての作業をしている。３ＧＰＰ技術仕様化グループ（ＴＳＧ）無線アクセスネットワーク（ＲＡＮ）会議Ｎｏ．７１（グーテンベルク、２０１６年３月）では、ＲＡＮ１、ＲＡＮ２、ＲＡＮ３およびＲＡＮ４を含む最初の５Ｇ検討項目“Ｓｔｕｄｙ  ｏｎ  Ｎｅｗ  Ｒａｄｉｏ  Ａｃｃｅｓｓ  Ｔｅｃｈｎｏｌｏｇｙ”が承認され、最初の５Ｇ規格を規定するＲｅｌｅａｓｅ１５作業項目になることが予想されている。その検討項目のねらいは、「Ｎｅｗ  Ｒａｄｉｏ（ＮＲ）」アクセス技術（ＲＡＴ）を開発することであり、このアクセス技術は、１００ＧＨｚまでの周波数範囲で機能し、ＲＡＮ要求事項検討中に定義された広範囲の使用事例をサポートする（たとえば、ｗｗｗ．３ｇｐｐ．ｏｒｇで入手でき、参照によりその全体が本明細書に組み込まれる、非特許文献１参照）。
【０００３】
１つの目的は、拡張モバイルブロードバンド（ｅＭＢＢ）、超高信頼・低遅延通信（ＵＲＬＬＣ）、大規模マシン型通信（ｍＭＴＣ）を少なくとも含む、ＴＲ３８．９１３に定義されている全ての使用シナリオ、要求事項および配備シナリオに対処する単独の技術フレームワークを提供することである。たとえば、ｅＭＢＢ配備シナリオは、屋内ホットスポット、密集都市、地方、都市マクロおよび高速を含むことができ、ＵＲＬＬＣ配備シナリオは、工業用制御システム、モバイル健康管理（遠隔監視、診断および治療）、車両のリアルタイム制御、広域監視、およびスマートグリッドの制御システムを含むことができ、ｍＭＴＣは、スマートウェアラブルおよびセンサネットワークなどの非時間クリティカルデータ転送に関して多数のデバイスを用いるシナリオを含むことができる。第２の目的は後方互換性を実現することである。Ｌｏｎｇ  Ｔｅｒｍ  Ｅｖｏｌｕｔｉｏｎ（ＬＴＥ、ＬＴＥ−Ａ）セルラーシステムとの後方互換性は必要とされず、これにより、完全に新しいシステム設計および／または新規の特徴を導入することが容易になる。
【０００４】
基本的な物理レイヤ信号波形はＯＦＤＭに基づくことになり、非直交波形および多重アクセスの潜在的なサポートがある。たとえば、ＤＦＴ−Ｓ−ＯＦＤＭ、および／またはＤＦＴ−Ｓ−ＯＦＤＭの変形物、および／またはフィルタリング／ウィンドウィングなどのＯＦＤＭの上の追加の機能がさらに検討される。ＬＴＥでは、ＣＰベースのＯＦＤＭおよびＤＦＴ−Ｓ−ＯＦＤＭが、それぞれダウンリンク送信およびアップリンク送信の波形として使用される。ＮＲの設計目標の１つは、ダウンリンク、アップリンクおよびサイドリンクに対して可能な限り共通の波形を探し求めることである。
【０００５】
波形に加えて、いくつかの基本的フレーム構造およびチャネルコーディング方式が、上記の目的を達成するために開発される。その検討ではまた、上記の目的を達成するための無線プロトコル構造およびアーキテクチャに関して、何が必要になるかについての共通の知識も探し求められることになっている。さらに、上記の目的に対処するための新しいＲＡＴを可能にするために必要な技術的機能が、様々なサービスのためのトラフィックの効率的な多重化、および同一隣接ブロックのスペクトルのユースケースを含めて検討されることになっている。
【０００６】
３ＧＰＰの第５世代システムのＮＲの標準化は始まったばかりであるので、まだ明確になっていない問題がいくつかある。たとえば、ＵＥ向けの参照信号それぞれの同期信号のダウンリンク送信をどのようにサポートするかについての進行中の議論がある。このような参照／同期信号は、セル同期などの様々な目的のためにＵＥによって使用され、チャネル品質を判定するための測定、および／またはＲＲＭ（無線リソース管理）関連でのＵＥモビリティの測定（たとえば、ＲＲＣ  ＩＤＬＥモードおよび／またはＲＲＣ  ＣＯＮＮＥＣＴＥＤモードのＵＥについて）を行うことができる。参照／同期信号がｇＮＢおよびＵＥによって、最大の利益が得られるように完全に使用されることを可能にする処理を確立し定義することが重要である。
【先行技術文献】
【非特許文献】
【０００７】
【非特許文献１】３ＧＰＰ  ＴＲ３８．９１３“Ｓｔｕｄｙ  ｏｎ  Ｓｃｅｎａｒｉｏｓ  ａｎｄ  Ｒｅｑｕｉｒｅｍｅｎｔｓ  ｆｏｒ  Ｎｅｘｔ  Ｇｅｎｅｒａｔｉｏｎ  Ａｃｃｅｓｓ  Ｔｅｃｈｎｏｌｏｇｉｅｓ”，ｃｕｒｒｅｎｔ  ｖｅｒｓｉｏｎ  １４．２．０
【非特許文献２】Ｔｅｃｈｎｉｃａｌ  Ｒｅｐｏｒｔ  ＴＲ３８．８０４  ｖ１４．０．０
【非特許文献３】ＴＳ３８．３００  ｖ．２．０、ｓｅｃｔｉｏｎ４
【非特許文献４】３ＧＰＰ  ＴＲ３８．８０１  ｖ１４．０．０
【非特許文献５】ｓｅｃｔｉｏｎ５．２  ｏｆ  ＴＲ３８．８０１
【非特許文献６】ＴＳ３８．３００  ｖ０．２．０，ｓｅｃｔｉｏｎ４．４．１
【非特許文献７】ｓｕｂ−ｃｌａｕｓｅ６．５  ｏｆ  Ｓ  ＴＳ３８．３００  ｖ０．２．０
【非特許文献８】ＴＳ３８．３００，ｓｅｃｔｉｏｎ４．４．２
【非特許文献９】ｓｕｂ−ｃｌａｕｓｅ６，ｏｆ  ＴＳ３８．３００
【非特許文献１０】ｓｕｂ−ｃｌａｕｓｅｓ６．４，６．３，ａｎｄ  ６．２  ｏｆ  ＴＳ３８．３００
【非特許文献１１】ｓｕｂ−ｃｌａｕｓｅ７  ｏｆ  ＴＳ３８．３００
【非特許文献１２】ＴＳ３８．３００  ｖ０．２．０
【非特許文献１３】ｓｅｃｔｉｏｎ  ５．５．２  ｏｆ  ＴＲ３８．８０４  ｖ１４．０．０
【非特許文献１４】ＴＲ３８．８０４
【非特許文献１５】３ＧＰＰ  ＴＳ３６．３３１  ｖ１４．２．２，  ｓｅｃｔｉｏｎ  ５．４
【非特許文献１６】３ＧＰＰ  ３６．４２３  ｖ１４．２．０  ｓｅｃｔｉｏｎ  ８．２
【非特許文献１７】ＴＳ３６．２１１  ｖｅｒｓｉｏｎ１４．２．０  ｓｅｃｔｉｏｎｓ６．１０“Ｒｅｆｅｒｅｎｃｅ  ｓｉｇｎａｌｓ”
【非特許文献１８】ＴＳ３６．２１１  ｖｅｒｓｉｏｎ１４．２．０  ｓｅｃｔｉｏｎｓ６．１１“Ｓｙｎｃｈｒｏｎｉｚａｔｉｏｎ  ｓｉｇｎａｌｓ”
【非特許文献１９】３ＧＰＰ  ＴＳ３６．３３１，ｖｅｒｓｉｏｎ１４．２．２  ｓｅｃｔｉｏｎ５．５“Ｍｅａｓｕｒｅｍｅｎｔｓ”
【非特許文献２０】３ＧＰＰ  ＴＳ３６．３５５  ｓｐｅｃｉｆｉｃａｔｉｏｎ，ｌａｔｅｓｔ  ｖｅｒｓｉｏｎ  ｂｅｉｎｇ  １４．１．０，ｓｅｃｔｉｏｎ５“ＬＰＰ  Ｐｒｏｃｅｄｕｒｅｓ”
【非特許文献２１】３ＧＰＰ  ＴＳ３６．４５５  ｖ１４．１．０
【発明の概要】
【発明が解決しようとする課題】
【０００８】
１つの非限定的および例示的な実施形態では、様々なエンティティ（ＵＥ、ｇＮＢ）が参加する、改善された（セル）測定手順を実現することが容易になる。
【課題を解決するための手段】
【０００９】
１つの一般的な態様では、本明細書に開示された技法は、移動通信システムの第１の無線セル内のユーザ機器にサービスする無線基地局を特徴とする。無線基地局は、隣接無線基地局（ｎｅｉｇｈｂｏｒ  ｒａｄｉｏ  ｓｔａｔｉｏｎ）がビームフォーム化参照信号をユーザ機器に供給していないと判定する処理回路を備える。隣接無線基地局は、その隣接無線セルにおいて全方向性参照信号およびビームフォーム化参照信号の送信を制御する。無線基地局の送信器が参照信号要求を隣接無線基地局へ送信する。参照信号要求は、隣接無線基地局にビームフォーム化参照信号をユーザ機器に供給するように要求する。無線基地局の受信器が、要求されたビームフォーム化参照信号の送信についての情報を含む参照信号要求応答を隣接無線基地局から受信する。送信器は、要求されたビームフォーム化参照信号についての情報を含むユーザ機器への通知メッセージを送信する。
【００１０】
１つの一般的な態様では、本明細書に開示された技法は、全方向性参照信号およびビームフォーム化参照信号の送信を無線基地局の第１の無線セルにおいて制御する、移動通信システムの無線基地局を特徴とする。無線基地局は、ビームフォーム化参照信号についての情報を１つまたは複数の隣接無線基地局へ送信することを決定する処理回路を備える。無線基地局の送信器が、ビームフォーム化参照信号を送信するために無線基地局によって使用される無線リソースを識別できるようにするビームフォーム化参照信号のスケジューリング情報を含む、参照信号通知メッセージを１つまたは複数の隣接無線基地局へ送信する。
【００１１】
１つの一般的な態様では、本明細書に開示された技法は、移動通信システムのユーザ機器を特徴とする。ユーザ機器は、隣接無線基地局がビームフォーム化参照信号をユーザ機器に供給していないと判定する処理回路を備える。隣接無線基地局は、その隣接無線セルにおいて全方向性参照信号およびビームフォーム化参照信号の送信を制御する。ユーザ機器の送信器が参照信号要求を、ユーザ機器にサービスするサービング無線基地局へ送信する。参照信号要求は、ビームフォーム化参照信号をユーザ機器に供給するように隣接無線基地局に要求することをサービング無線基地局に要求するものである。ユーザ機器の受信器が、要求されたビームフォーム化参照信号についての情報を含む通知メッセージをサービング無線基地局から受信する。
【００１２】
１つの一般的な態様では、本明細書に開示された技法は、移動通信システムの第１の無線セル内のユーザ機器にサービスする無線基地局を動作させる方法を特徴とする。この方法は、無線基地局によって実行される以下のステップを含む。隣接無線基地局がビームフォーム化参照信号をユーザ機器に供給していないと判定される。隣接無線基地局は、その隣接無線セルにおいて全方向性参照信号およびビームフォーム化参照信号の送信を制御する。参照信号要求が隣接無線基地局へ送信され、参照信号要求は隣接無線基地局にビームフォーム化参照信号をユーザ機器に供給するように要求する。隣接無線基地局から、要求されたビームフォーム化参照信号の送信についての情報を含む参照信号要求応答が受信される。要求されたビームフォーム化参照信号についての情報を含むユーザ機器への通知メッセージが送信される。
【００１３】
１つの一般的な第１の態様では、本明細書に開示された技法は、移動通信システムのユーザ機器を動作させる方法を特徴とする。この方法は、ユーザ機器によって実行される以下のステップを含む。隣接無線基地局がビームフォーム化参照信号をユーザ機器に供給していないと判定される。隣接無線基地局が、その隣接無線セルにおいて全方向性参照信号およびビームフォーム化参照信号の送信を制御する。参照信号要求が、ユーザ機器にサービスするサービング無線基地局へ送信される。参照信号要求は、ビームフォーム化参照信号をユーザ機器に供給するように隣接無線基地局に要求することをサービング無線基地局に要求するものである。要求されたビームフォーム化参照信号についての情報を含む通知メッセージが、サービング無線基地局から受信される。
【００１４】
一般的または具体的な実施形態は、システム、方法、集積回路、コンピュータプログラム、記憶媒体、またはこれらのいずれかの選択的な組み合わせとして実現できることに留意されたい。
【００１５】
開示された実施形態のさらなる利益および利点は、本明細書および図から明らかになろう。これらの利益および／または利点は、本明細書および図面の様々な実施形態および特徴によって個々に得ることができるが、これらの実施形態および特徴は、そのような利益および／または利点の１つ以上を得るために全てが必要であるわけではない。
【００１６】
以下では、例示的な実施形態について添付の図および図面を参照してより詳細に説明する。
【図面の簡単な説明】
【００１７】
【図１】３ＧＰＰ  ＮＲシステムの例示的なアーキテクチャを示す図である。
【図２】ＬＴＥ  ｅＮＢ、ｇＮＢおよびＵＥの例示的なユーザおよび制御プレーンアーキテクチャを示す図である。
【図３】５Ｇ  ＮＲのユーザプレーンプロトコルスタックを示す図である。
【図４】５Ｇ  ＮＲの制御プレーンプロトコルスタックを示す図である。
【図５】ＬＴＥ通信システムのＸ２ハンドオーバ手順の例示的なシグナリング図である。
【図６】それぞれＲＲＣ  ＩＤＬＥおよびＲＲＣ  ＣＯＮＮＥＣＴＥＤのモビリティ関連ＲＲＭ動作の概要を示す図である。
【図７】それぞれＲＲＣ  ＩＤＬＥおよびＲＲＣ  ＣＯＮＮＥＣＴＥＤのモビリティ関連ＲＲＭ動作の概要を示す図である。
【図８】隣接するｇＮＢがビームフォーム化ＮＲ接続参照信号を全く送信していない潜在的な問題を説明するためのシナリオを示す図である。
【図９】隣接するｇＮＢがビームフォーム化ＮＲ接続参照信号をＵＥが位置する方向とは別の方向に送信している潜在的な問題を説明するためのシナリオを示す図である。
【図１０】隣接するｇＮＢから送信されるビームフォーム化ＮＲ接続参照信号についての必要なスケジューリング情報をＵＥが有していない潜在的な問題を説明するためのシナリオを示す図である。
【図１１】ＵＥのハンドオーバがＮＲ接続参照信号のスイッチオフビームによる悪影響を受ける潜在的な問題を説明するためのシナリオを示す図である。
【図１２】ＵＥおよびｅＮＢの例示的な簡略化された構成を示す図である。
【図１３】ＵＥにサービスするサービングｇＮＢによって開始される、改善されたｇＮＢ間調整手順のシグナリング図である。
【図１４】ＵＥによって開始される、改善されたｇＮＢ間調整手順のシグナリング図である。
【図１５】ＵＥ開始参照信号要求メッセージに使用できる例示的なＭＡＣ制御要素を示す図である。
【図１６】ＵＥ開始参照信号要求メッセージに使用できる例示的なＰＤＣＰ制御ＰＤＵを示す図である。
【図１７】隣接ｇＮＢによって開始される、改善されたｇＮＢ間調整手順のシグナリング図である。
【発明を実施するための形態】
【００１８】
本開示の基礎
５Ｇ  ＮＲシステムアーキテクチャおよびプロトコルスタック
背景技術の項で提示されたように、３ＧＰＰは、５Ｇと簡単に呼ばれる、１００ＧＨｚまでの周波数範囲で動作する新無線アクセス技術（ＮＲ）の開発を含む第５世代セルラー技術の次のＲｅｌｅａｓｅに向けて作業している。３ＧＰＰは、ＮＲシステムを成功裏に標準化するために必要な技術構成要素を特定し開発して、差し迫った市場ニーズとより多くの長期要件との両方を適時に満たさなければならない。これを実現するために、無線インターフェースならびに無線ネットワークアーキテクチャの展開が検討項目「新無線アクセス技術」として検討されている。結果および合意が、参照によりその全体が本明細書に組み込まれる非特許文献２に集約されている。
【００１９】
特に、システムアーキテクチャ全体についての暫定合意があった。ＮＧ−ＲＡＮ（次世代無線アクセスネットワーク）は、ＮＧ無線アクセスユーザプレーン（ＳＤＡＰ／ＰＤＣＰ／ＲＬＣ／ＭＡＣ／ＰＨＹ）とＵＥ向けの制御プレーン（ＲＲＣ）プロトコル終端とを提供する、ｇＮＢから構成される。各ｇＮＢは、Ｘｎインターフェースによって互いに相互接続される。ｇＮＢはまた、次世代（ＮＧ）インターフェースによってＮＧＣ（次世代コア）に接続され、より詳細には、Ｎ２インターフェースによってＡＭＦ（アクセスおよびモビリティ管理機能）に、またＮ３インターフェースによってＵＰＦ（ユーザプレーン機能）に接続される。ＮＧ−ＲＡＮアーキテクチャは、参照によりその全体が本明細書に組み込まれる非特許文献３から引用した図１に示されている。
【００２０】
サポートされる様々な異なる配備シナリオが、たとえば参照によりその全体が本明細書に組み込まれる非特許文献４に反映されているように、現在論議されている。たとえば、そこには、５Ｇ  ＮＲをサポートする基地局を配備できる非集中化配備シナリオ（非特許文献５、集中化配備がセクション５．４に図示されている）が提示されている。図２は、例示的な非集中化配備シナリオを示し、ＴＲ３８．３０１の図５．２．−１に基づいており、さらにはＬＴＥ  ｅＮＢ、ならびにｇＮＢとＬＴＥ  ｅＮＢ（ＬＴＥおよびＬＴＥ−Ａなどの前述の３ＧＰＰ規格ＲｅｌｅａｓｅによればｅＮＢと理解されるべきもの）の両方に接続されているユーザ機器（ＵＥ）も示している。上述のように、ＮＲ  ５Ｇの新ｅＮＢは例示的にｇＮＢと呼ばれることがある。
【００２１】
例として、ＴＲ３８．８０１に定義されているｅＬＴＥ  ｅＮＢは、ＥＰＣ（進化型パケットコア）およびＮＧＣ（次世代コア）との接続性をサポートするｅＮＢが進化したものである。
【００２２】
非特許文献６に現在定義されている、ＮＲのユーザプレーンプロトコルスタックが図３に示されている。ＰＤＣＰ、ＲＬＣおよびＭＡＣサブレイヤはネットワーク側のｇＮＢにおいて終端される。加えて、新アクセス層（ＡＳ）サブレイヤ（ＳＤＡＰ、サービスデータ適応プロトコル）が、非特許文献７に記載されているようにＰＤＣＰの上に導入される。非特許文献８に定義されている、ＮＲの制御プレーンプロトコルスタックが図４に示されている。レイヤ２の機能の概要が非特許文献９に示されている。ＰＤＣＰ、ＲＬＣおよびＭＡＣサブレイヤの機能が非特許文献１０に列挙されている。ＲＲＣレイヤの機能が非特許文献１１に列挙されている。上述の非特許文献１２の各サブ条項は、参照により本明細書に組み込まれる。
【００２３】
５Ｇシステムに現在例示的に仮定されている新ＮＲレイヤは、ＬＴＥ（−Ａ）通信システムに現在使用されているユーザプレーンレイヤ構成に基づくことができる。しかし、ＮＲレイヤの全ての細部については現在のところ最終合意に達していないことに留意されたい。
【００２４】
ＲＲＣ状態
ＬＴＥでは、ＲＲＣ状態機械は、大きい電力節減、ＵＥ自律モビリティ、およびコアネットワークに対する確立したＵＥ接続性がないことを主に特徴とするＲＲＣアイドル状態と、無損失サービス継続をサポートするようにモビリティがネットワーク制御されている間にＵＥがユーザプレーンデータを送信できるＲＲＣ接続状態との、２つの状態だけから構成される。
【００２５】
参照により本明細書に組み込まれる非特許文献１３に現在定義されているＮＲ  ５ＧのＲＲＣは、次の３つの状態、ＲＲＣアイドル、ＲＲＣ非活動、およびＲＲＣ接続をサポートし、非特許文献１４に定義された次に続く状態遷移を可能にする。
【００２６】
明らかなように、新しいＲＲＣ状態である不活動は、シグナリング、電力節減、遅延などの面で要件が非常に異なるｅＭＢＢ（拡張モバイルブロードバンド）、ｍＭＴＣ（大規模マシン型通信）およびＵＲＬＬＣ（超高信頼および低遅延通信）などのより広範囲のサービスをサポートするときに利益が得られるように、５Ｇ  ３ＧＰＰの新無線技術について定義されている。したがって、新ＲＲＣ不活動状態は、たとえばデータ転送を少ない遅延で開始することを依然として可能にしながら、無線アクセスネットワークおよびコアネットワークにおけるシグナリング、電力消費およびリソースコストを最小限にできるように設計されるべきである。
【００２７】
ＬＴＥハンドオーバ手順
モビリティは、ＬＴＥ通信システムにおける重要な手順である。アクティブモードのＵＥには、ＬＴＥの２種類のハンドオーバ手順、すなわちＳ１ハンドオーバ手順およびＸ２ハンドオーバ手順がある。ＬＴＥ内モビリティについては、Ｘ２インターフェースを介するハンドオーバが通常ではｅＮｏｄｅＢ間モビリティのために使用される。したがって、Ｘ２ハンドオーバは、確立されたＸ２インターフェースがない限り、またはソースｅＮｏｄｅＢが別のハンドオーバ（たとえば、Ｓ１ハンドオーバ）を代わりに使用するように設定されている限り、デフォルトでトリガされる。
【００２８】
図５は、Ｘ２ＬＴＥ内ハンドオーバの簡潔な、例示的で簡略化された概要を示す。
【００２９】
Ｘ２ハンドオーバは、準備段階（ステップ４から６）、実行段階（ステップ７から９）および完了段階（ステップ９の後）を含む。Ｘ２ＬＴＥ内ハンドオーバは、２つのｅＮｏｄｅＢの間で直接実行される。コアネットワークの他のエンティティ（たとえば、ＭＭＥ（モビリティ管理エンティティ））は、新しいｅＮＢへのパススイッチを作動させるために、一旦ハンドオーバが成功すると、ハンドオーバ手順の終了時のみに情報が与えられる。測定制御と称するステップ２は、ＵＥとサービングｅＮｏｄｅＢ（ここでは「ソースＬＴＥ  ｅＮＢ」）との間で実施されるセル測定手順および測定報告手順を指す。後で明らかになるように、本出願では主に上記のステップ２に関する改善された手順を提示する。
【００３０】
ステップ８で状態遷移メッセージは、送出しなければならない順序番号がまだ割り当てられていない第１のパケットにターゲットｅＮｏｄｅＢが割り当てるべき、順序番号およびハイパーフレーム番号を提示する。
【００３１】
ＬＴＥにおけるモビリティ手順についてのさらなる情報は、たとえば、参照により本明細書に組み込まれる非特許文献１５、および参照により本明細書に組み込まれる非特許文献１６から得ることができる。
【００３２】
ＬＴＥ−（Ａ）  −同期信号、参照信号およびＲＲＭ測定
あるＬＴＥセルにアクセスしたいユーザ機器は、ダウンリンクを復調しアップリンク信号を正しいタイミングで送信するのに必要な時間および周波数のパラメータを決定するために、最初にセルサーチ手順に取りかからなければならない。ＬＴＥにおけるセルサーチ手順は、各セルでブロードキャストされる特別設計の２つの物理信号、すなわち主同期信号（ＰＳＳ）および副同期信号（ＳＳＳ）を使用する同期手順から開始する。これら２つの信号は、時間および周波数の同期をイネーブルするだけでなく、ＵＥにセルの物理レイヤ識別情報およびサイクリックプレフィックス長も提示して、さらにはＵＥに、セルが周波数分割複信（ＦＤＤ）を使用しているのか、それとも時間分割複数信（ＴＤＤ）を使用しているのかを知らせる。
【００３３】
ＰＳＳおよびＳＳＳは、１０ｍｓ無線フレームごとに２回、周期的に送信される。１つのＦＤＤセルでは、ＰＳＳは常に、各無線フレームの第１および第１１スロットの最後のＯＦＤＭ（直交周波数分割多重）シンボル内に位置し、それによってＵＥが、サイクリックプレフィックス長とは関係なくスロット境界タイミングを得ることが可能になる。ＳＳＳは、ＰＳＳの直前のシンボル内に位置する。ＴＤＤセルでは、ＰＳＳは第３および第１３スロットの第３ＯＦＤＭシンボル内に位置し、ＳＳＳは３シンボル前に位置する。ＰＳＳおよびＳＳＳは、中心の６つのリソースブロックで送信されて、これらの同期信号の周波数マッピングがシステム帯域幅に対して不変であることが可能になり、それによってＵＥが、割り当てられた帯域幅について何も事前の知識がなくてもネットワークと同期することが可能になる。
【００３４】
ＬＴＥ参照信号およびＬＴＥ同期信号（たとえば、ＰＳＳとＳＳＳの構成）についてのさらに詳細な情報は、たとえば、参照により本明細書に両方とも組み込まれる非特許文献１７および非特許文献１８に見ることができる。
【００３５】
ｅＮｏｄｅＢとＵＥの間の同期が実現されたならば、ＬＴＥは、等化および検出のアルゴリズムを使用してチャネルインパルス応答（ＣＩＲ）についての知識を利用するコヒーレント通信システムになる。コヒーレント検出による最適受信には、通常は伝搬チャネルの正確な推定が必要である。この目的のために、既知の参照信号が送信信号構成に挿入される。可能な限り正確にチャネルを推定するには、時間、周波数およびスペースに関するチャネル係数間の全ての相互関係を考慮に入れなければならない。参照信号が特定のＯＦＤＭリソースエレメントによってのみ送出されるので（すなわち、特定のサブキャリア上の特定のＯＦＤＭシンボルによって）、参照信号を伝達しないリソースエレメントのチャネル推定値は補間によって計算しなければならない。
【００３６】
ＬＴＥダウンリンクでは、少なくとも５つの異なる種類の参照信号が提供される。すなわち、
・  セル固有参照信号（共通参照信号と呼ばれることが多い）、
・  ＵＥ固有参照信号（復調参照信号ＤＭ−ＲＳと呼ばれることが多い）、
・  ＭＢＳＦＮ固有参照信号、これはマルチメディアブロードキャスト単一周波数ネットワーク動作にだけ使用される、
・  位置決め参照信号、これは、Ｒｅｌｅａｓｅ９以降、ＵＥ位置測定を目的として特定の位置決めサブフレームに埋め込まれることがある、
・  チャネル状態情報（ＣＳＩ）参照信号、これは、データ復調のためではなく、特にダウンリンクチャネル状態推定を目的としてＲｅｌｅａｓｅ１０に導入されている。
【００３７】
ＵＥ固有参照信号は、セル固有参照信号に加えて送信することができ、ＰＤＳＣＨがこれらのＵＥに対してマッピングされる参照ブロックにだけ埋め込まれる。ＵＥ固有参照信号が送信される場合、ＵＥは、ＵＥ固有参照信号を使用して、対応するＰＤＳＣＨリソースブロック内のデータを復調するためのチャネル推定値を得ることが予想される。ＵＥ固有参照信号の典型的な用い方には、特定のＵＥへのデータ送信のビームフォーム化を可能にすることがある。ｅＮｏｄｅＢは、物理的なアンテナ素子からなる相関アレイを使用して、特定のＵＥの方向に細いビームを生成することができる。この細いビームは、ｅＮｏｄｅＢとＵＥの間のチャネル応答が異なり、それによって、ＵＥ固有参照信号を使用して、ＵＥがビームフォーム化データをコヒーレントに復調できるようになる。Ｒｅｌｅａｓｅ９でＵＥ固有参照信号が、１つのＵＥに向けて２つの空間レイヤの送信を含むことができる、デュアルレイヤ送信のサポートを拡張するために新たに設計されている。
【００３８】
ＬＴＥによる通信システムでは、無線リソース管理（ＲＲＭ）が、電力制御、スケジューリング、セルサーチ、セル再選択、ハンドオーバ、無線リンクまたは接続の監視、ならびに接続確立および再確立を含む、広範囲の技法および手順を包含する。Ｅ−ＵＴＲＡＮ（ＬＴＥ）内のセルサーチは、モビリティの最も基本的な態様の１つであり、ＵＥがキャリア周波数、タイミングおよび物理セル識別情報（ＰＣＩ）を得ることを可能にする。
【００３９】
さらに、ＵＥが取りかかるＲＲＭ関連動作は、ＲＲＣ−ＩＤＬＥ状態に関連するもの、およびＲＲＣ−ＣＯＮＮＥＣＴＥＤ状態に関連するものに大きく分類することができる。ＲＲＣ  ＩＤＬＥおよびＲＲＣ  ＣＯＮＮＥＣＴＥＤでのＲＲＭ動作に関連したモビリティの概要は、図６および図７に示されている。
【００４０】
ＲＲＣ−ＩＤＬＥ  ＵＥのモビリティには、サービングセルの測定および評価、隣接セルの測定、セル再選択のための隣接セルの評価、ターゲットセルのシステム情報の取得、およびターゲットセル向けのセル再選択が含まれ得る。ＲＲＣ−ＣＯＮＮＥＣＴＥＤ  ＵＥのモビリティは、図７に示された様々なシナリオを区別する。
【００４１】
サービングセルおよび任意の隣接セルの測定は通常、ＵＥによって定期的に行われる。この測定はまた、ＵＥからそのサービスｅＮＢへの測定報告の送信を伴うこともある。
【００４２】
ＵＥは、Ｅ−ＵＴＲＡＮから提供された、ＲＲＣ＿Ｃｏｎｎｅｃｔｅｄ状態のＵＥに適用可能な測定設定に従って、測定情報を報告する。測定設定は、たとえばＲＲＣＣｏｎｎｅｃｔｉｏｎＲｅｃｏｎｆｉｇｕｒａｔｉｏｎまたはＲＲＣＣｏｎｎｅｃｔｉｏｎＲｅｓｕｍｅメッセージを使用する、専用シグナリングによってＵＥに提供することができる。ＵＥは、測定情報をｅＮＢに報告してＵＥモビリティの管理をサポートするように設定することができる。以下の測定設定要素は、ＲＲＣＣｏｎｎｅｃｔｉｏｎＲｅｃｏｎｆｉｇｕｒａｔｉｏｎメッセージを介して知らせることができる。
【００４３】
測定対象：測定対象は、キャリア周波数など、ＵＥが何について測定を行うべきかを定義する。測定対象には、考慮されるべきセルのリスト、ならびに関連するパラメータ（たとえば、周波数またはセル固有のオフセット）が含まれ得る。
【００４４】
報告設定：報告設定は、ＵＥに測定報告を送信させる（周期的またはイベントトリガ）基準、ならびにどんな情報をＵＥが報告すると予想されるかについての詳細（たとえば、ＵＭＴＳの受信信号コード電力（ＴＳＣＰ）またはＬＴＥの参照信号受信電力（ＲＳＲＰ）などの、数量）から構成される。
【００４５】
測定識別情報：これらは測定を識別し、適用可能な測定対象および報告設定を定義する。
【００４６】
数量設定：数量設定は、各測定に対して使用されるべきフィルタリングを定義する。
【００４７】
測定ギャップ：測定ギャップは、ＵＥが測定を行うことができるように、アップリンクまたはダウンリンクの送信がスケジュールされない期間を定義する。
【００４８】
ＬＴＥでは、いくつかのイベントＡ１〜Ａ５、Ｂ１、Ｂ２が、サービングセルが絶対閾値（Ａ１）よりも良くなるとき、または絶対閾値（Ａ２）よりも悪くなるとき、または隣接セルがサービングセル（Ａ３）に対するオフセットよりも良くなるときなどの、イベントトリガ測定報告に対して定義される。イベントＢ１およびＢ２は、ＲＡＴ（無線アクセス技術）間モビリティに提供され、イベントＢ１は、隣接セルが絶対閾値よりも良くなったときにトリガされ、イベントＢ２は、サービングセルが絶対閾値よりも悪くなり、隣接セルが別の絶対閾値よりも良くなったときにトリガされる。
【００４９】
Ｅ−ＵＴＲＡＮは、これらの条件で使用されるいくつかの設定可能パラメータ、たとえば閾値の１つ以上、オフセットなどの値を設定することによって、エントリ条件に影響を及ぼすことができる。
【００５０】
イベントトリガ報告に加えて、ＵＥは、周期的測定報告を行うように設定することができる。この場合には、パラメータのいくつかは、ＵＥが報告をイベントの発生後にようやく行うのではなく直ちに開始することを除いて、イベントトリガ報告と同様に設定することができる。
【００５１】
測定報告メッセージでは、ＵＥは、単一の測定に関する測定結果だけを含む。言い換えると、各測定は報告目的のために一緒にされない。複数のセルが報告をトリガした場合、ＵＥは、これらのセルを報告数量の値の降順に含む。すなわち、最良のセルが最初に報告される。
【００５２】
より詳細な情報は、参照により本明細書に組み込まれる技術仕様の非特許文献１９に見ることができる。
【００５３】
５Ｇ  ＮＲ  −  同期信号、参照信号およびＲＲＭ測定
５Ｇ  ＮＲ通信システムについてもまた、同期信号および参照信号が必要になると予想されるが、これらの信号は、新しい５Ｇ  ＮＲ技術によって課せられる多様な要件をＵＥおよびｇＮＢが満たせるように設計されなければならない。
【００５４】
新５Ｇ無線技術システムに必要な高いデータ転送速度を達成するには少なくともデータチャネルがビームフォーム化されなければならないので、ＮＲビームフォーム化がより高い周波数で広く使用されることが予想される。したがって、ＲＲＣ  ＣＯＮＮＥＣＴＥＤ状態のＵＥが、ビームフォーム化されたデータチャネルを受信しながらＲＲＭ測定のための参照信号を検出できるようにするために、参照信号もまた、その信号強度およびデータチャネルの信号強度がＵＥ受信器のダイナミックレンジ内になるようにビームフォーム化することができる。さらに、ビームフォーム化に依拠する高周波配置では、ＳＩＮＲ（信号対干渉および雑音電力比）が、たとえばビーム妨害、シャドーイングなどにより非常に早く大幅に低下することがある。したがって、堅牢なモビリティ手順には、ＲＲＣ  ＩＤＬＥモードのＵＥよりもＲＲＣ  ＣＯＮＮＥＣＴＥＤモードのＵＥに対して少なくともより頻繁に得られるべき、測定のための同期信号および／または参照信号が必要になる。
【００５５】
５Ｇ  ＮＲ通信システムに関してこれまで、（レイヤ３）モビリティのＲＲＭ測定のために、実質的に全方向性のカバレッジも提供すべき常時オン参照信号が、少なくともＲＲＣ  ＩＤＬＥ状態のＵＥに使用されると論じてきた。参照信号の全方向性は、無線セルの全ての方向に同時に広がる全方向性送信パターンを使用することによって実現することができる。あるいは、参照信号の全方向性はまた、無線セルの特定の方向（領域）しか実質的にカバーしないビーム送信パターンを使用することによっても実現することができるが、この場合、ビームは無線セル全体にわたって「掃引され（ｓｗｅｅｐｅｄ）」て、全方向性が、この掃引過程が初期の方向に達すために必要な特定の期間内で実現する。
【００５６】
一方、ＲＲＣ  ＣＯＮＮＥＣＴＥＤ状態のＵＥについては、１つまたは複数の追加の、場合によってビーム方式で送信される、参照信号を使用する可能性が現在議論されている。５Ｇ  ＮＲの追加の参照信号は、ＬＥＴに対してすでに定義されているＣＳＩ参照信号（上記の議論参照）と同様になる可能性があり、かつ／または、ＣＳＩ参照信号とは別個に設計されるさらに別の参照信号を含むこともあり得る。ＲＲＣ  ＣＯＮＮＥＣＴＥＤのＵＥで追加および／または別の参照信号を柔軟に使用することにより、システムオーバヘッドおよび遅延を制御および制限することを同時に可能にしながら、上記の要件を満たすことが可能になる。具体的には、追加の参照信号に基づいてＲＲＭ測定を実施することがより正確であると判明しており、したがって、ハンドオーバ遅延を低減することができる。１つの理由は、追加の参照信号がデータ送信と同じビームから放たれること、および／または追加の参照信号が広いスペクトルにわたって送信されることであり得る。
【００５７】
ＲＲＣ  ＩＤＬＥとして現在考えられている参照信号は、上で簡潔に論じた、ＬＴＥで使用される同期信号またはセル固有参照信号、すなわちＰＳＳおよび／またはＳＳＳと同じであるか同様であり得る。たとえば、ＮＲ  ＩＤＬＥ参照信号は、ビームフォーム化できる（データチャネルのように）どんな追加ＮＲ  ＣＯＮＮＥＣＴＥＤ参照信号とも異なり、全方向に送信することができる。ＮＲ  ＩＤＬＥ参照信号は、ＮＲ  ＣＯＮＮＥＣＴＥＤ参照信号と比較して、もっと疎に送信することができる。さらに、ＮＲ  ＣＯＮＮＥＣＴＥＤ参照信号はオン／オフすることができ、かつ／または設定可能であり得る。
【００５８】
要約すると、以下では、５Ｇ  ＮＲ通信システムに関し、全方向性参照信号（ＬＴＥ  ＰＳＳおよびＳＳＳと同様の、可能性のある実施態様を考慮して同期信号と呼ばれることもある）が、ＲＲＣ  ＩＤＬＥ状態のＵＥによってＲＲＭ測定に使用されることが例示的に仮定される（以下では、参照しやすいようにＮＲ  ＩＤＬＥ参照信号と称する）。さらなる便益を得るために、以下では、ＮＲにおいて少なくとも１つの追加のビームフォーム化された参照信号（場合によってＬＴＥ  ＣＳＩ−ＲＳと同様）が、ＲＲＣ  ＣＯＮＮＥＣＴＥＤ状態のＵＥによってＲＲＭ測定に使用されることがさらに例示的に仮定される（以下では、参照しやすいようにＮＲ接続参照信号（ＮＲ  Ｃｏｎｎｅｃｔｅｄ  ｒｅｆｅｒｅｎｃｅ  ｓｉｇｎａｌ）と称する）。
【００５９】
さらに、最大の便益を獲得し、また参照信号に対する設計要件に従うために、適応性のあるリソース割当てを追加の参照信号に対し予見することができる。たとえば、追加の参照は、たとえばビームのサービスを受けている領域内にサービスされているＲＲＣ＿ＣＯＮＮＥＣＴＥＤ状態のＵＥがないときに、ｇＮＢによってオフに切り替えることができる。加えて、追加の参照信号を送信するために使用されるリソースは、固定される必要がなく動的に変わり得る。これはたとえば、設定された周波数キャリア内のＰＳＳおよびＳＳＳの位置がＵＥには分かっている、ＬＴＥから分かる同期信号（ＰＳＳ、ＳＳＳ）とは異なっている。追加のＮＲ参照信号がどこに送信されるかがＵＥに分かるように、ＵＥに何らかの設定情報（たとえば、時間および／または周波数表示）がネットワークから提供されてもよい。
【００６０】
５Ｇの新無線技術の３ＧＰＰ標準化は進行中であり、上記で想定されたレイヤおよびエンティティの術語は、標準とするための段階で本発明の実施形態の機能に影響を及ぼすことなく変更され得ることに留意されたい。
【００６１】
上の各項で説明したように、５Ｇセルラーシステムは現在、ＲＲＣ接続状態およびＲＲＣアイドル状態でのＵＥモビリティを目的として、無線セル内の参照信号をどのように設計するかについて議論している。少なくとも２つの異なる参照信号、ＮＲアイドル参照信号およびＮＲ接続参照信号が、無線セル内のＲＲＭ測定の目的に使用されることになっている。ＮＲ  アイドル参照信号とは異なり、ＮＲ接続参照信号は全方向に送信されそうになく、またさらに、常にオンであることもない（たとえばエネルギーを節減するため、または干渉を低減させるためにオフに切り替えられる可能性がある）。しかしこのことが、以下の問題につながり得る。
【００６２】
以下のシナリオは、この問題を図８〜図１１に関連して説明するために仮定されている。ＵＥが現在、ｇＮＢ（サービングｇＮＢ）からサービスを受けており、サービングｇＮＢの無線セルのエッジに位置している。ＵＥは、サービングｇＮＢから送信された参照信号である、例示的なＮＲ接続参照信号（ビームとして図示）およびＮＲアイドル参照信号（別個に図示されておらず、無線セルをカバー）を受信することができる。
【００６３】
一方、図８を参照すると、隣接ｇＮＢは、ＮＲ接続参照信号を送信しておらず、たとえば、隣接ｇＮＢから前記ビーム（または対応するデータビーム）のサービスを受けているＲＲＣ接続状態のＵＥがないことを考慮して、電力を節減するためにすでにオフに切り替えられている。その結果、ＵＥは、ＮＲ接続参照信号を受信することができず、隣接ｇＮＢが常に送信していると仮定されているＮＲアイドル参照信号だけに基づいて、隣接セルの測定を行わなければならない。
【００６４】
別の問題は、１つまたは複数のＮＲ接続参照信号が隣接ｇＮＢによって確かに送信されていることであり得る。図９は、１つのＮＲ接続参照信号を表す１つのビームを例示的に示す。しかし、ＮＲ接続参照信号ビームのどれもＵＥの位置には向けられておらず、そのためＵＥはやはり、隣接セルに対して実施された測定結果を改善するための追加の参照信号を受信することができない。
【００６５】
問題のある別のシナリオでは、図１０に示されるように、ＵＥに到達する隣接ｇＮＢから送信されたＮＲ接続参照信号が確かにある。しかし、ＵＥは、この追加の参照信号ビームを送信するために隣接ｇＮＢによって使用された無線リソースが不明であるので、追加の参照信号を受信することがやはりできない。このシナリオでは、送信されるＮＲ接続参照信号のために使用される時間−周波数無線リソースが、隣接ｇＮＢによって動的または準動的に選択されると仮定している。
【００６６】
いずれの場合も、図１１に関連して簡潔に説明するように、ＵＥが隣接セルの追加の参照信号（ＮＲ接続参照セル）を受信することができず、したがって、たとえばモビリティ（ハンドオーバ）手順の一部として、隣接セルに対して行われるその測定に追加の参照信号を利用することができない状況が多くあり得る。
【００６７】
具体的には、図１１は、ＮＲ接続参照信号（ビームＣ１Ｂ１、．．．Ｃ２Ｂ３として示す）と、ＮＲアイドル参照信号（全方向性であるとして楕円形で示す）とのそれぞれのセルカバレッジを持つ、２つのｇＮＢ（ｇＮＢ１およびｇＮＢ２）の２つの無線セルを示す。さらに、ビームＣ２Ｂ１はオフに切り替えられていると仮定されている（破線ビーム）。ＵＥは、時刻ｔ１に２つの無線セルの重なり領域にあり、したがって、ｇＮＢ１のＮＲアイドル参照信号Ｃ１、ｇＮＢ２のＮＲアイドル参照信号Ｃ２、ならびにｇＮＢ１のＮＲ接続参照信号Ｃ１Ｂ３を受信する。それに応じて、ＵＥは、両方の無線セルに対するセル測定を実施できるが、ｇＮＢ２の無線セルの測定は、ＮＲ接続参照信号Ｃ２Ｂ１がオフに切り替えられているので、ＮＲアイドル参照信号Ｃ２だけに基づくことになる。
【００６８】
ここで、３ＧＰＰでは、ｇＮＢ（ハンドオーバ決定をしている）が、同じタイプの参照信号に基づいて実施されている測定結果だけを比較すべきという、サービングｇＮＢ１が、Ｃ２に対して実施された測定結果をＣ１Ｂ３に基づいて実施された測定結果と比較することが許容されない可能性があることを意味する、モビリティの要件を検討していることに留意されたい。ＮＲアイドル参照信号だけに基づいた測定結果の精度が低いことを考えると、ｇＮＢ１は適正なハンドオーバ決定をすることができない可能性がある。
【００６９】
たとえば、ｔ１においてｇＮＢ１は、Ｃ１およびＣ２それぞれに対してＵＥで実施された測定結果が実質的に同じである、またＣ１Ｂ３について実施された測定結果がＣ２Ｂ１についての非存在測定結果（＝０）よりも高い、と仮定してハンドオーバしないことを決定し得る。ＵＥがｇＮＢ２の方向にさらに移動し、ｇＮＢ１のカバレッジエリアを出ると仮定すると、時刻ｔ２において、Ｃ２に基づいて実施された測定結果は、Ｃ１に基づいて実施された測定結果よりも良くなる（たとえば、信号品質がより良い）。一方、ｔ２において、Ｃ１Ｂ３の測定結果は、Ｃ２Ｂ１の測定結果よりも依然として高い。したがって、ｇＮＢ１がどのようにしてハンドオーバ決定を行うかが不明確である。ｇＮＢ１は、ｇＮＢ２の無線セルへのＵＥのハンドオーバをトリガすると決定することがあり、この場合、ｇＮＢ２は（ＲＲＣ接続状態のＵＥが存在するので）Ｃ２Ｂ１をオンに切り替え、最終的には、さらに後の時刻ｔ３においてＣ２Ｂ１のビームを使用してＵＥにサービスすることになる。したがって、ハンドオーバの遅延が生じ、ＵＥでもｔ１とｔ３の間でＱｏＳが劣化し得る。逆に、ＮＢ１がなおハンドオーバしないと決定した場合には、ｇＮＢ１からの信号強度が大幅に減少するので、ＵＥは最終的に無線リンク障害を宣言しなければならなくなる。
【００７０】
したがって、本開示は、不利点のうちの１つ以上を克服しやすくする解決策を提供し、および／または上述の要件の１つ以上を満たすものである。
【００７１】
本開示の詳細な説明
以下では、５Ｇ移動通信システムで考えられている新無線アクセス技術のためのＵＥ、基地局、および手順について説明する。様々な実施態様および変形形態についても同様に説明する。以下の詳細な開示は、前述の項の「本開示の基礎」に記載された議論および知見によって容易になり、少なくともその一部に基づくことができる。
【００７２】
しかし、一般に、５Ｇセルラー通信システムに関してはほんのわずかなことしか実際に合意されておらず、そのため、本開示の根底にある原理を明確に説明できるように以下では多くの仮定をしなければならないことに留意されたい。しかし、これらの仮定は、本開示の範囲を限定してはならない単なる例として理解されるべきものである。当業者には、以下に開示された、また特許請求の範囲に提示されたその原理が、様々なシナリオに、本明細書には明示されていない方法で適用できることが承知されよう。
【００７３】
さらに、次の３ＧＰＰ  ５Ｇ通信システムの新無線アクセス技術の文脈で使用されるべき特殊な術語がまだ完全には決定されていないが、以下で用いられる用語は、ＬＴＥ／ＬＴＥ−Ａシステムに、または３ＧＰＰ  ５Ｇの現在の検討事項に使用されている術語に、密接に関係している。それゆえに、当業者には、本発明およびその保護の範囲が、より新しい、または最終的に合意された術語がないために本明細書に例示的に用いられている特定の用語に制限されるべきではなく、本開示の機能および原理の根底をなす機能および概念に関して、より広く理解されるべきであることが承知されよう。
【００７４】
たとえば、移動局、または移動ノード、またはユーザ端末、またはユーザ機器（ＵＥ：Ｕｓｅｒ  Ｅｑｕｉｐｍｅｎｔ）は、通信ネットワーク内の物理的なエンティティである。１つのノードは、いくつかの機能エンティティを有することができる。機能エンティティは、所定の機能のセットをノードまたはネットワークの他の機能エンティティに実装および／または提供する、ソフトウェアモジュールまたはハードウェアモジュールを指す。ノードは、ノードが通信できるように介在する通信設備または媒体にノードを接続する、１つまたは複数のインターフェースを有することができる。同様に、ネットワークエンティティは、それが他の機能エンティティまたはコレスポンデントノードと通信できるように介在する通信設備または媒体に機能エンティティを接続する、論理インターフェースを有することができる。
【００７５】
本明細書で用語の「基地局（ｂａｓｅ  ｓｔａｔｉｏｎ）」または「無線基地局（ｒａｄｉｏ  ｂａｓｅ  ｓｔａｔｉｏｎ）」とは、通信ネットワーク内の物理的エンティティを指す。物理的エンティティは、通信デバイスに対して、１つまたは複数のスケジューリングおよび設定を含むいくつかの制御タスクを行う。基地局機能および通信デバイス機能はまた、単一のデバイスの中に一体化できることに留意されたい。たとえば、モバイル端末は、他の端末のための基地局の機能も実装することができる。ＬＴＥで使用される術語はｅＮＢ（またはｅＮｏｄｅＢ）であるが、５Ｇ  ＮＲに現在使用されている術語はｇＮＢである。
【００７６】
用語の「全方向性参照信号（ｏｍｎｉ−ｄｉｒｅｃｔｉｏｎａｌ  ｒｅｆｅｒｅｎｃｅ  ｓｉｇｎａｌ）」とは、実際上全方向カバレッジを有する参照信号を表し、この信号はまた、「掃引（ｓｗｅｅｐｉｎｇ）」ビームを使用することによって得ることもでき、このビームは、異なる領域を異なる時間にカバーするが、それぞれの全掃引の後には無線セルの全ての領域をカバーしている。全方向性はこのように、ビームが、無線セルの限定された（おそらく狭い）非円形領域をカバーするにすぎないという点で、「ビームフォーム化」に対比して理解されるべきものである。それに応じて、用語の「ビームフォーム化参照信号（ｂｅａｍｆｏｒｍｅｄ  ｒｅｆｅｒｅｎｃｅ  ｓｉｇｎａｌ）」とは、無線セルの限定された（おそらく狭い）非円形領域内で（ｇＮＢから）送信され、したがって完全な無線セルカバレッジを意図的にカバーしない参照信号を指す。
【００７７】
図１２は、ユーザ機器（通信デバイスとも称する）と、スケジューリングデバイス（ここでは、たとえばＬＴＥ  ｅＮＢまたは５Ｇ  ＮＲのｇＮＢである、基地局に置かれていると仮定されている）との一般的な、簡略化された例示的ブロック図を示す。ＵＥとｅＮＢ／ｇＮＢは互いに、それぞれトランシーバを使用して、（無線）物理チャネルを介して通信している。
【００７８】
通信デバイスは、トランシーバおよび処理回路を備えることができる。次いでトランシーバは、受信器および送信器を備えることができる。処理回路は、１つまたは複数のプロセッサまたは任意のＬＳＩなどの、１つまたは複数のハードウェアとすることができる。トランシーバと処理回路の間に入出力ポイント（またはノード）があり、これを介して処理回路は、動作時にトランシーバを制御し、すなわち受信器および／または送信器を制御し、受信／送信データを交換することができる。トランシーバは、１つまたは複数のアンテナ、増幅器、ＲＦ変調器／復調器などを含む、ＲＦ（無線周波数）フロントを含むことができる。処理回路は、処理回路から供給されたユーザデータおよび制御データを送信するように、かつ／または処理回路でさらに処理されるユーザデータおよび制御データを受信するように、トランシーバを制御するなどの制御タスクを実施することができる。処理回路はまた、判定する、決定する、計算する、測定するなどの処理を実行することを担うこともできる。送信器は、送信処理を行うことを担うことができる。受信器は、受信処理を行うことを担うことができる。
【００７９】
簡単で例示的なシナリオが、前に論じた図１１に基づいて以下で仮定されており、ＵＥが、ここではそのサービングｇＮＢ１に接続され、対応する無線セル内を移動しており、最終的に別の隣接する無線セル（ここではｇＮＢ２）の重なりカバレッジエリアに達している。ＵＥは、たとえば現在のｇＮＢ１の無線セルに対して、しかしまた、妥当な場合にはｇＮＢ２の隣接無線セルなどの隣接するセルに対しても、何回かのセル測定を行うように設定されている。１つの例示的な選択肢は、前に簡潔に説明したように、ＵＥによって行われるべきセル測定を設定するためのＬＴＥ手順を再使用することである。それに応じて、ｇＮＢ１は、測定対象、報告設定、測定識別情報、数量設定、測定ギャップなどの、様々な要素を含む測定制御メッセージを使用して（たとえば、ＲＲＣＣｏｎｎｅｃｔｉｏｎＲｅｃｏｎｆｉｇｕｒａｔｉｏｎメッセージの一部として）、ＵＥを設定することができる。
【００８０】
たとえば、ＵＥは、ＮＲアイドル参照信号に対しての、また得られる場合にはＮＲ接続参照信号に対しての、セル測定を行うように設定することができる。１つの例示的な実施態様では、たとえば別々の測定対象を設定することによって、参照信号ごとに別々の測定が行われることになる。
【００８１】
１つの例示的な実施態様によれば、ｇＮＢ１から送信された、動的割当てＮＲ接続参照信号を受信するために、ＵＥは、前記参照信号がどこに送信され、どのようにして受信されるのかをＵＥが知ることができるように、ＮＲ接続参照信号についての適切な情報を備えることができる。動的割当てＮＲ接続参照信号の、様々な異なる実施態様があり得る。たとえば、ＮＲ接続参照信号は、周波数および時間領域の別々の無線リソースによって動的に送信することができる。一方、ＮＲ接続参照信号は、固定された時刻インスタンスで、またはあらかじめＵＥが知っている特定の周波数で送信することができる。ＮＲ接続参照信号送信の周期性および継続時間は、変化しても固定されてもよい。
【００８２】
動的割当てＮＲ接続参照信号に対して選択された特定の実施態様では、ｇＮＢ１から送信されたＮＲ接続参照信号を受信するようにＵＥをイネーブルするためにどれだけの情報がＵＥに提供される必要があるかを決定する。不変パラメータ（たとえば、時間、周波数、周期性など）は、ＵＥがセルに接続されるときに、たとえばｇＮＢ１による初期設定から、またはＵＥのプログラムコードから（たとえば、３ＧＰＰ仕様によって固定される）、または他の適切な機構から、ＵＥが知ることができる。逆に、動的に変わるパラメータは、ＵＥに適時に、かつ適切に提供される必要がある。
【００８３】
図１１の例示的なシナリオから明らかなように、ｇＮＢ１がＮＲアイドル参照信号を全方向に送信し（Ｃ１）、それによって実質的に全サービング無線セル領域をカバーすることが仮定されている。さらに、図１１に示されるように、ビームフォーム化ＮＲ接続参照信号（Ｃ１Ｂ１、Ｃ１Ｂ２、Ｃ１Ｂ３）がｇＮＢ１から送信される。それゆえに、ビームＣ１Ｂ３の領域に位置するＵＥは、サービング無線セルに対するセル測定をＮＲアイドル参照信号Ｃ１ならびにＮＲ接続参照信号Ｃ１Ｂ３に基づいて行うことができる。
【００８４】
さらに、ｇＮＢ２もまた、それ自体のＮＲアイドル参照信号を全方向に送信し（Ｃ２）、またビームフォーム化ＮＲ接続参照信号（Ｃ２Ｂ２、Ｃ２Ｂ３）を送信する。第３のＮＲ接続参照信号（Ｃ２Ｂ１）は、ここではオフに切り替えられており、したがってｇＮＢ２から送信されない。それゆえに、ＵＥによってｇＮＢ２の隣接無線セルに対して行われるセル測定では、ｇＮＢ２から送信されるＮＲアイドル参照信号だけを使用する。その理由は、ＵＥの位置では他のビームＣ２Ｂ２、Ｃ２Ｂ３が利用できないからである。
【００８５】
ＵＥは、サービングｇＮＢ１への測定報告を準備し送信するように設定される。測定報告は、たとえば周期的に、または特定の事前設定イベントに基づいて、トリガすることができる。測定をトリガするいくつかのイベントは、上記のＬＴＥ測定報告手順との関連ですでに提示した。これらのＬＴＥイベントＡ１〜Ａ５、Ｂ１、Ｂ２のいくつかまたは全ては、５Ｇ  ＮＲの測定報告手順にも再使用することができる。別法として、または加えて、他のイベントが、たとえば追加の参照信号であるＮＲ接続参照信号に関連して、測定報告をトリガするために定義されてもよい。たとえば、別個のイベントをＮＲ接続参照信号およびＮＲアイドル参照信号に対して定義することができる。
【００８６】
改善された測定報告手順の実施態様によれば、ＵＥによって準備され提供される測定報告はまた、付属の測定結果がＮＲアイドル参照信号および／またはＮＲ接続参照信号に基づいて計算されたかどうかに関する情報を提供することもできる。たとえば、測定結果ごとに、実際のメトリック値（たとえば、ＲＳＲＰ値および／またはＲＳＲＱ値）と、場合によっては測定セル（たとえば隣接セルであり、サービングセルのセルＩＤを含まないことがある）のセルＩＤと、場合によっては対応測定ＩＤとを提供することは別として、測定報告は、計算のベースを示すための、すなわち結果がＮＲアイドル参照信号に基づいて計算されたか、それともＮＲ接続参照信号に基づいて計算されたかを示すための、フラグを提示することができる。１つの例示的な実施態様では、測定フラグＭＦ＝０は、付随する測定結果がＮＲアイドル参照信号だけに基づいて計算されたことを意味し得るのに対し、測定フラグＭＦ＝１は逆に、付随する測定結果がＮＲ接続参照信号に基づいて計算されたことを意味する。
【００８７】
測定報告手順の別の改善では、測定フラグを使用する必要がなく、したがって、前記フラグによって生じるオーバヘッドが回避される。代わりに、サービングｇＮＢは、ＮＲアイドル参照信号に基づいて行われた測定をＮＲ接続参照信号に基づいて行われた測定と区別できるように、ＵＥによって行われるべき測定を設定する。たとえば、サービングｇＮＢは、１つの測定対象を、隣接セルをＮＲアイドル参照信号に基づいて測定するための特定の測定（対象）ＩＤで定義する一方、別の測定対象を、隣接セルをＮＲ接続参照信号に基づいて測定するための別の測定（対象）ＩＤで定義する。これは、たとえば、ＵＥに送信される、それぞれの（またはいくつかの）測定対象の測定制御メッセージ中に、２つの測定ベースを区別するための対応するフラグを使用することによって実現することができる。したがって、ＵＥは、指示された測定設定に従ってセル測定を行い、それに応じて次に、測定の結果を含む測定報告を準備する。測定報告はまた、測定結果ごとの測定結果ＩＤを含むこともでき、それによりサービングｇＮＢ１は、測定報告を受信したときに、受信された測定結果ＩＤと設定された測定対象ＩＤの間の関連を特定し、その関連から、測定結果がＮＲアイドル参照信号に基づいて得られたのか、それともＮＲ接続参照信号に基づいて得られたのかを推定することができる。
【００８８】
改善された測定報告手順の別の実施態様は、サービングｇＮＢは、ＮＲアイドル参照信号に基づいて行われた報告をＮＲ接続参照信号に基づいた報告と区別できるように、ＵＥによって行われるべき報告を設定することである。たとえば、サービングｇＮＢは、１つの報告設定を、ＮＲアイドル参照信号に基づいた測定を報告するための特定の設定ＩＤで定義する一方、別の報告設定を、隣接セルをＮＲ接続参照信号に基づいて報告するための別の設定ＩＤで定義する。これは、たとえば、ＵＥに送信される、それぞれの（またはいくつかの）報告設定の測定制御メッセージ中に、２つの測定ベースを区別するための対応するフラグを使用することによって実現することができる。したがって、ＵＥは、指示された報告設定に従って測定報告を行い、それに応じて次に、測定の結果を含む測定報告を準備する。測定報告はまた、測定結果ごとの測定結果ＩＤを含むこともでき、それによりサービングｇＮＢ１は、測定報告を受信したときに、受信された測定結果ＩＤと設定された報告設定ＩＤの間の関連を特定し、その関連から、測定結果がＮＲアイドル参照信号に基づいて得られたのか、それともＮＲ接続参照信号に基づいて得られたのかを推定することができる。
【００８９】
この改善された測定報告手順を使用することにより、サービングｇＮＢは、ＵＥによって行われた測定の測定ベースを区別すること、すなわち、ＵＥがＮＲアイドル参照信号に基づいて測定したのか、それともＮＲ接続参照信号に基づいて測定したのかを区別することが可能になる。この情報は、たとえば、同じタイプの参照信号測定結果を比較できるようにするために、ｇＮＢ１によって使用されてもよい。その理由は、同じタイプの参照信号についての比較に基づいてハンドオーバ決定をすることがより正確であり、それゆえにユーザ機器により有利であるので、この比較が重要になるからである。
【００９０】
セル測定手順を改善するために、ｇＮＢ間調整（ここでは例示的にサービングｇＮＢ１とｇＮＢ２の間）の別の有利な実施態様が以下で説明され、すでに明らかにされた問題を克服することが特に容易になる。ｇＮＢ間調整の以下の実施態様では、隣接セルがＵＥへのＮＲ接続参照信号の送信をサポートすると確かに決定するのであれば当然ながら、ＵＥが隣接セルのＮＲ接続参照信号を受信する機会を提供することになる。
【００９１】
一般にｇＮＢ間調整は、別途以下で提示されるように、ＵＥ側、サービングｇＮＢ側、および／または隣接ｇＮＢ側で開始することができる。最初に、サービングｇＮＢとＵＥ側で開始されるｇＮＢ間調整について説明する。その理由は、隣接ｇＮＢ開始のｇＮＢ間調整に対比して、このｇＮＢ間調整が処理のほとんどを占めるからである。
【００９２】
ある時点でサービングｇＮＢは、測定精度に有害であり得る、かつすでに上で論じた問題のうちの１つ以上につながり得る、隣接セルを出たＮＲ接続参照信号がユーザ機器に供給されていないと判定する。さらに、ＵＥが位置する領域内で隣接ｇＮＢがＮＲ接続参照信号を送信していないこともまた、隣接ｇＮＢがすでに大きい負荷を有しており（したがって、可能な場合にエネルギーを節減しようとしている）、別のＵＥに（データ）カバレッジを提供しようとしない、またはできない、という表示であり得る。
【００９３】
この潜在的な問題の源が明らかになったので、サービングｇＮＢは、欠落しているＮＲ接続参照信号をＵＥに供給するように隣接ｇＮＢに要求する決定をすることができる。その結果、サービングｇＮＢは、参照信号要求を隣接ｇＮＢへ送信して、ＮＲ接続参照信号をＵＥに供給することを要求する。この要求メッセージは、たとえば、隣接ｇＮＢの隣接セルのセル識別情報を含むことがある。加えて、この要求メッセージはまた、任意選択で、隣接ｇＮＢがＵＥの位置を特定できるように、ユーザ機器のモビリティ情報を含むこともある。このモビリティ情報（位置情報と称されることもある）が含むものについての様々な実施態様がある。１つの実施形態では、ＵＥの位置はそのＧＰＳ（全地球測位システム）座標によって提示され、ＵＥから得ることができる。
【００９４】
ＵＥ位置情報の別の実施態様では、ＬＴＥ位置決めプロトコル（ＬＰＰ）を使用し、このプロトコルによりｇＮＢ１がＵＥの位置を決定できるようになる。このようにしてｇＮＢ１はまた、ＬＰＰプロトコルを使用して、たとえば、ＵＥと接続されている進化型サービングモバイル位置特定センター（Ｅｖｏｌｖｅｄ−Ｓｅｒｖｉｎｇ  Ｍｏｂｉｌｅ  Ｌｏｃａｔｉｏｎ  Ｃｅｎｔｅｒ）からＧＰＳ座標を得ることもできる。ＬＰＰの詳細な定義は、参照により本明細書に組み込まれる非特許文献２０、および参照により本明細書に組み込まれる非特許文献２１に見ることができる。
【００９５】
参照信号要求メッセージ中のＵＥの位置情報の別の実施態様は、ＵＥによって得られた測定結果に基づいている。具体的には、サービングｇＮＢは、ＵＥが位置しているところの測定結果から評価をすることができる。たとえば、この評価は、いくつかのセルについてＵＥで実施された測定結果を比較することによって行い、それによって関連ＲＳＲＰ情報を決定することができる。ＧＰＳ座標よりも精度が低いが、このような位置情報は、隣接ＵＥが要求されたＮＲ接続参照信号をＵＥに供給するかどうかを決定できるようにするには十分であり得る。
【００９６】
参照信号要求メッセージ中のＵＥの位置情報のさらに別の実施態様では、ｇＮＢはただ単に、測定報告（その一部または全部）を参照信号要求メッセージに入れることができる。その場合、隣接ｇＮＢは、必要または関連があるならば、前述の実施形態のｇＮＢ１について詳細に説明したのと同じように、または同様に、ＵＥの位置を測定結果から得なければならない可能性がある。
【００９７】
次表は、参照信号要求メッセージの例示的な実施態様を示す。
【００９８】
【表１】
2020519056.tif 000003
【００９９】
次いで隣接ｇＮＢは、ＵＥのサービングｇＮＢから参照信号要求メッセージを受信後、ＮＲ接続参照信号をＵＥに供給するかどうかを決定することができる。隣接ｇＮＢによるこの決定では、様々な異なる留意事項を考慮に入れることができる。たとえば、隣接ｇＮＢがすでにあまりに多くのＵＥにサービスしていることがあり、あるいは電力出力がすでに制限されていることがあり、そのためどちらの場合も隣接ｇＮＢは、ＮＲ接続参照信号をＵＥに供給しないことを決定する可能性がある（また後で、サービングｇＮＢからのあり得るハンドオーバ要求をいずれにしても拒否しなければならないはずである）。一方、隣接ｇＮＢはまた、ＮＲ接続参照信号をＵＥに供給するかどうかを決定するときに、ＵＥの位置情報を考慮に入れることもできる。たとえば、ＮＲ接続参照信号がすでに隣接ｇＮＢ２から送信されているが、ＵＥが位置している方向とは別の方向であると例示的に仮定することができる。前記の場合には、ＮＲ接続参照信号のために追加ビームを送信する代わりに、ＮＲ接続参照信号のすでに利用可能であるビームの方向をＮＲ接続参照信号がＵＥの位置に到達できるように単に変更することで十分である可能性がある。前記の場合、余分な電力を消費しなくてもよく、ビームの方向の変更は特定の期間に限定することさえできるので、隣接ｇＮＢ２はＮＲ接続参照信号をＵＥに供給すると決定することができる。
【０１００】
別のシナリオによれば、隣接ｇＮＢはまた、ＮＲ接続参照信号の１つまたは複数のビームを送信することによって無線セル内に生じるおそれがある干渉を考慮に入れることもできる。
【０１０１】
ちょうど説明したように、隣接ｇＮＢは、ＮＲ接続参照信号をＵＥに供給すべきかどうかを決定することができる。しかし、いずれの場合にも、隣接ｇＮＢはサービングｇＮＢ１に対する受信参照信号要求に対し、要求されたＮＲ接続参照信号の送信についての適切な情報を提供することによって応答することができる。この参照信号要求応答メッセージのコンテンツは、ＮＲ接続参照信号をＵＥに供給するかしないかの決定の結果によって決まる。
【０１０２】
隣接ｇＮＢ２がＮＲ接続参照信号をＵＥに供給しないことを決定する場合、応答メッセージは、要求を拒否することに対応する情報要素を含むだけでよい。任意選択で、ＵＥがＮＲアイドル参照信号に基づくだけで測定を継続して行い、したがって、利用できないＮＲ接続参照信号を測定しようとすることを省くことができるように、サービングｇＮＢは次に、この拒否についてＵＥに知らせることができる。さらに、この場合ＵＥは、ｇＮＢ間調整がすでに拒否されたので、もはやｇＮＢ間調整を開始しない。任意選択で、ＵＥは、他の隣接セルにＮＲ接続参照信号が送信されていない場合には、意味のある測定結果の比較をすることができないので、サービングセルのＮＲ接続参照信号の測定を停止することさえある。
【０１０３】
応答メッセージは、応答がどの無線セルに（およびどの要求に）関連しているかをサービングｇＮＢが判定できるように、隣接セルのセルＩＤを含むことができる。
【０１０４】
一方、隣接ｇＮＢ２がＮＲ接続参照信号をＵＥに供給すると決定した場合には、参照信号応答メッセージは要求の確認を含むことができ、必要または有利な場合には、要求されたＮＲ接続参照信号に関連する別の情報を含むこともできる。
【０１０５】
たとえば、参照要求応答は、ＮＲ接続参照信号のスケジューリング情報をＵＥへ転送されるように含むことができ、それによりＵＥはＮＲ接続参照信号を受信できるようになる。スケジューリング情報は、要求されたＮＲ接続参照信号を送信するために隣接ｇＮＢ２によって使用される、周波数領域および／または時間領域の無線リソースを表示することができる。一方、スケジューリング情報の全部または一部は、必ずしも参照要求応答メッセージに含まれないことがある。たとえば、無線リソースの周波数および／または時間は、３ＧＰＰ標準規格では固定することができ、あるいは以前の情報交換からＵＥまたはｇＮＢ１にはすでに知られている可能性があるので、スケジューリング情報のさらなる交換の必要性は過去のものになる。同一または別のＵＥに対する以前の参照信号要求メッセージに応答して、ｇＮＢ２は、要求されたＮＲ接続参照信号のスケジューリング情報をｇＮＢ１にすでに提供していることがある。したがって、参照信号応答メッセージ中にスケジューリング情報が存在することは任意選択である。
【０１０６】
さらに、別の例示的な実施態様によれば、ｇＮＢ２は、ＮＲ接続参照信号を要求されたようにＵＥに供給することをたとえ決定していても、ＮＲ接続参照信号がＵＥに供給される期間を制限すると別に決定することがある。この制限は、ＵＥに隣接セルの正確な測定を行う機会を同時になお提供しながら、やはりエネルギーを節減できるように、かつ／または干渉を低減できるようにするために行われることがある。その期間が経過した後、隣接ｇＮＢは、ビームフォーム化ＮＲ接続参照信号をオフに切り替えるか、またはその方向を元に戻すことができる。前記の場合では、ｇＮＢ２は、対応する継続期間情報を参照信号要求応答メッセージに入れることも入れないこともあり、この継続期間情報は次に（ｇＮＢ１およびＵＥに転送された後に）ｇＮＢ１およびＵＥが、ＮＲ接続参照信号を使用して、どの期間に拡張測定が行われてよいかが分かるようにする。
【０１０７】
ｇＮＢ２は加えて、または別法として、ＮＲ接続参照信号をＵＥに、常に送信するのではなく特定の周期性で送信することを決定することができる。やはり、このように送信することは、ｇＮＢ２がたとえばエネルギーを節減する、かつ／または干渉を低減するのに有利であり得る。前記の場合では、ｇＮＢ２は、対応する周期性情報を参照信号要求応答メッセージに入れることも入れないこともあり、この情報は次に（ｇＮＢ１およびＵＥに転送された後に）ｇＮＢ１およびＵＥが、どの周期性でＮＲ接続参照信号がｇＮＢ２から送信されるかが分かるようにする。
【０１０８】
次表は、この参照信号要求応答メッセージの特定の例示的な実施態様を示す。
【０１０９】
【表２】
2020519056.tif 000004
【０１１０】
上述のＴＲＰは送受信ポイントを表し、当技術分野でビーム（またはビームフォーム化送信）の範囲を定めるために使用される。それゆえに、上記の例示的な応答信号は、隣接セル内でｇＮＢ２（付随するセルＩＤによって識別される）から送信されるビームのリストを含み、それぞれ、必須情報要素としてビーム指標番号を含み、任意選択の情報要素としてスケジューリング情報、継続期間情報および周期性情報を含む。
【０１１１】
上で説明したように、ｇＮＢ２は、ＮＲ接続参照信号をＵＥに供給すると決定するときに、ＮＲ接続参照信号をＵＥに送信するために新しいビームを確立するか、または、すでに送信されているＮＲ接続参照信号に用いる別のビームの方向および／または送信出力をＵＥに到達できるように変更するか、を決定することができる。
【０１１２】
サービングｇＮＢ１は、それに応じて、上で論じたように参照信号要求応答メッセージを使用して通知される。続いて、サービングｇＮＢ１はＵＥに、要求されたＮＲ接続参照信号に関する情報を含めて、通知メッセージをＵＥに送信することによって通知することができる。この通知メッセージのコンテンツは、実施態様および仮定されたシナリオに実質的に基づいて変わり得る。通知メッセージの送信は、ＵＥが、さらなる情報がなくても要求されたＮＲ接続参照信号を、その信号が隣接ｇＮＢで利用可能になった（たとえば、オンに切り替えられた、またはすでに利用可能であるＮＲ接続参照信号のビームがＵＥに再び向けられた）後に受信することができるシナリオでは不必要でさえあり得る。
【０１１３】
一方、通知メッセージは、必要なスケジューリング情報（周波数領域および／または時間領域内）、および／または継続期間情報、および／または周期性情報を含むことができ、これらの全てが、要求されたＮＲ接続参照信号をＵＥが適切に受信および処理できるためには必要であり得る。
【０１１４】
サービングｇＮＢからＵＥへ送信されるこの通知メッセージの１つの例示的な実施態様は、新しい測定設定をＵＥに、場合によっては要求されたＮＲ接続参照信号についての必要な情報を含めて提供するためにサービング基地局で使用される、ＲＲＣＣｏｎｎｅｃｔｉｏｎＲｅｃｏｎｆｉｇｕｒａｔｉｏｎメッセージである。たとえば、新しい測定対象を新しいＮＲ接続参照信号に対して定義することができ、あるいは以前に定義された測定対象をそれ相応に適合させることができる。その場合、新しい、または適合された測定対象は、ＮＲ接続参照信号を含む測定をどのようにして行うかを示すことができる。
【０１１５】
あるいは、通知メッセージはまた、ＭＡＣ制御エレメント、またはＰＨＹレイヤの制御信号の形で実施することもできる。
【０１１６】
いずれの場合でも、ＵＥは、要求されたＮＲ接続参照信号を受信できるはずである。それに応じて、ＵＥは、隣接セルに対するセル測定を、このＮＲ接続参照信号を使用して行い、それによって測定結果の精度が改善され、測定結果はその後、測定報告としてサービング無線基地局に提供され、この測定報告は次に、たとえばＵＥを隣接セルにハンドオーバするかしないかの決定をするために、ｇＮＢ２によって使用され得る。したがって、図１１との関連で上で説明したハンドオーバ手順中の問題が、ＮＲ接続参照信号に対し改善された測定結果の可用性の点から見て、軽減されることになる。
【０１１７】
上で説明した様々な実施態様のうちの１つによるこの改善されたｇＮＢ間調整により、ＮＲ接続参照信号を使用することから生じる問題を軽減することが可能になる。ＮＲ接続参照信号は、その限られた（ビームの形の）カバレッジエリア、常にオンではないこと（オフに切り替えることができるので）、動的または準動的にスケジューリングできること（たとえば、周波数およびまたは時間の無線リソースが変わり得る）などの、固有の特性を有する。ＲＲＣ接続状態のＵＥに対するこの追加参照信号のこれらの固有の特性は、適応性の向上、エネルギー節減可能性、干渉軽減可能性などの、上で説明した様々な利点をもたらす。改善されたｇＮＢ間調整を使用することによって、このような特性を持つＮＲ接続参照信号を使用するというこれらの利点を維持することができ、同時に、ＵＥがＮＲ接続参照信号を全面的に利用して測定精度を向上させることが可能になる。
【０１１８】
以上で、ある時点でサービングｇＮＢが、測定精度に有害であり得る、かつすでに上で論じた問題のうちの１つ以上につながり得るＮＲ接続参照信号が隣接セルからユーザ機器に供給されていないと判定することが簡潔に説明された。以下で説明するように、概念上は、ユーザ機器にＮＲ接続参照信号が供給されていないことをサービングｇＮＢがどのようにして判定するかについて、少なくとも２つ異なる解決策がある。１つの解決策によれば、この判定は、ＵＥから受信された測定報告に基づいてｇＮＢ１によって行われる（サービングｇＮＢ開始のｇＮＢ間調整）。第２の解決策によれば、ＵＥは最初に、それがＮＲ接続参照信号を受信していないと判定し、したがって、以下で説明するように、ｇＮＢ１をトリガすることによってｇＮＢ間調整をそれ自体で開始する（ＵＥ開始のｇＮＢ間調整）。
【０１１９】
サービングｇＮＢ開始のｅＮｏｄｅＢ間調整に関しては、サービングｇＮＢは、上で説明したように、たとえば、改善された測定報告フォーマットを使用してＵＥから測定報告を受信している。サービングｇＮＢは次に、測定報告のコンテンツ、特に、隣接セルに対してＵＥで行われた測定の結果を分析する。上で説明したように、改善された測定報告は、どの測定がＮＲアイドル参照信号に対して行われ、どの測定がＮＲ接続参照信号に対して行われたかをサービングｇＮＢが区別できるようにするための情報（フラグまたは測定ＩＤなど）を含むことができる。たとえば、サービングｇＮＢが、ＵＥが隣接セルに対する測定をＮＲ接続参照信号に基づいてではなく、ＮＲアイドル参照信号だけに基づいて行ったと判定した場合、サービングｇＮＢは、隣接セルにＮＲ接続参照信号をＵＥにも供給するように要求するために、ｇＮＢ間調整を開始すると決定することができる。
【０１２０】
より具体的な例示的実施形態では、上で説明したｇＮＢ間調整を開始するようにサービングｇＮＢをトリガし得る１つまたは複数の特定のイベントを定義する。たとえば、１つのイベントは、ＵＥが特定の隣接セルのＮＲ接続参照信号の測定結果を長期間報告しなかったこととすることができる。別のイベントは、ＵＥが特定の隣接セルのＮＲ接続参照信号の測定結果を報告しておらず、ＵＥとサービングｇＮＢの間のリンク品質が特定の閾値よりも悪くなっていることとすることができる。別の例示的なイベントは、ＵＥが特定の隣接セルのＮＲ接続参照信号の測定結果を報告しておらず、ＵＥモビリティ（たとえば、移動速度）が特定の閾値を超えることとすることができる。
【０１２１】
ＵＥ開始のｇＮＢ間調整に関しては、ＵＥは、それが隣接セルのＮＲ接続参照信号を受信しておらず、したがって、ＮＲ接続参照信号をＵＥに供給するように隣接ｇＮＢに要求するために、ｇＮＢ間調整を開始すると決定する。たとえば、ＵＥは、ＮＲアイドル参照信号を受信しており、したがって、隣接する無線セルのカバレッジ内にあることが分かるが、この隣接する無線セルの対応するＮＲ接続参照信号は受信していないことにも気付く。ＵＥがＮＲ接続参照信号に基づいて測定精度を改善したい場合、ＵＥは、対応するＵＥ開始の参照信号要求をそのサービングｇＮＢへ送信することを決定することができ、この要求は、ＵＥがやはりＮＲ接続参照信号を受信したい相手先の１つまたは複数の無線セルを示し得る。次に、サービングｇＮＢは、ＵＥから要求を受信すると、その要求をさらに、要求が意図されている隣接ｇＮＢへ転送するかどうかを決定することができる。たとえば、サービングｇＮＢには、隣接ｇＮＢが別のＵＥにサービスできないことがすでに分かっていることがあり、あるいは隣接基地局が実際にはｅＮＢであり、ｇＮＢではないことが分かっていることがある。両方の場合で、サービングｇＮＢは、ＵＥの要求には応じないと決定し得る。
【０１２２】
上で詳細に説明したように、サービングｇＮＢがＵＥの要求に応じて、隣接ｇＮＢにＮＲ接続参照信号を供給することを要求し、したがって、サービングｇＮＢは参照信号要求を隣接セルに送信することが例示的に仮定される。
【０１２３】
上記を要約すると、ｇＮＢ間調整は、ＵＥまたはサービングｇＮＢによって開始することができる。このような解決策の対応する例示的で簡略化された実施態様が、それぞれ図１３および図１４に示してあり、概要として以下で説明する。
【０１２４】
ＵＥとｇＮＢ１とｇＮＢ２の間のメッセージ交換を示す図１３は、サービングｇＮＢによって開始されるｇＮＢ間調整に関する（ボックス「ｇＮＢ２にＮＲ接続ＲＳを要求」参照）。図１３に示されるように、ＵＥが最初に測定を行うように設定されることが例示的に仮定されている（矢印「測定制御」参照）。図１１で仮定されたシナリオに従って、サービングｇＮＢ１がＮＲアイドル参照信号ならびにＮＲ接続参照信号を送信し、その両方がＵＥで受信されることが仮定されている（破線矢印参照）。その一方、隣接ｇＮＢ２はＵＥに、ＮＲアイドル参照信号を送信するが（破線矢印参照）、ＮＲ接続参照信号は送信しない。最初に設定された測定設定に従って、ＵＥは最終的に測定報告をサービングｇＮＢ１に提供し、この測定報告からサービングｇＮＢ１は、隣接ｇＮＢ２のＮＲ接続参照信号がＵＥで受信されていないと判定することができる（詳細は上記参照）。したがって、サービングｇＮＢ１は、対応する要求を送信することによって、ＮＲ接続参照信号をＵＥに供給するように隣接ｇＮＢ２に要求する決定をすることができる（矢印「ＮＲ接続ＲＳ要求」参照）。隣接ｇＮＢ２は次に、ＮＲ接続参照信号をＵＥに供給するかどうかを決定することができる。ｇＮＢ２で行われた決定に従って、対応する応答メッセージが次に、ｇＮＢ２からｇＮＢ１へ返信される。図１３では、隣接ｇＮＢ２がＮＲ接続参照信号をＵＥに供給することを確かに受諾し、それに応じて、破線矢印で示されるようにＮＲ接続参照信号をＵＥに送信することがさらに仮定されている。サービングｇＮＢ１は、要求の結果についてＵＥにたとえば、（たとえば、ＮＲ接続参照信号のスケジューリング情報を提供するための）別の測定制御メッセージを送信することによって知らせることができる。
【０１２５】
次にＵＥは、新たに供給されたＮＲ接続参照信号にやはり基づいてセル測定を行うことに進み、その測定結果をサービングｇＮＢ１に測定報告として提供することができる。測定結果は次に、ＵＥを隣接セルにハンドオーバするかどうかを決定するためにサービングｇＮＢ１で使用することができ、その場合、対応するハンドオーバ要求は、隣接ｇＮＢ２へ（たとえば、ＬＴＥから知られている）適切な方法で送信することができる。これ以降のステップは、本出願で提示されるアイデアおよび実施態様とあまり関連していないので、図１３はハンドオーバ要求メッセージの送信で終了している。手順はたとえば、図５に関連して説明したＬＴＥにおける典型的なハンドオーバ手順に従って継続することができる。
【０１２６】
一方、図１４は、ＵＥによって開始されるｇＮＢ間調整に関し、図１３に関連して上で論じた実施態様と大部分で一致している。図１３と図１４を比較することで理解できるように、主な違いは、（サービングｇＮＢ１ではなく）ＵＥが、ある時点でｇＮＢ２にＮＲ接続参照信号をＵＥに供給するように要求することを決定し（ボックス「ｇＮＢ２にＮＲ接続ＲＳを要求する」参照）、したがって、ＵＥ開始のＮＲ接続参照信号要求（矢印「ＵＥ  ＮＲ接続ＲＳ要求」参照）をサービングｇＮＢ１に送信することである。次に、図１４に例示的に仮定されているように、サービングｇＮＢ１はＵＥの要求に従うことを決定し、ＮＲ接続参照信号要求を隣接ｇＮＢ２に送信する。図１４の残りのステップは、図１３に関連して上で説明したものと同じであるか、同様である。
【０１２７】
この図１４のＵＥ開始の参照信号要求は、様々な方法で実施することができ、基本的な例示的解決策では、隣接セルのセルＩＤ（たとえば、ＮＲアイドル参照信号から得られる）を、ＵＥがＮＲ接続参照信号を受信したい相手先のセルを識別するために、簡単に含むことができる。さらに、ＵＥ開始の参照信号要求はまた、万一ＵＥが様々な隣接するセルからのＮＲ接続参照信号の送信を要求したい場合に備えて、様々なセルＩＤを含むこともできる。
【０１２８】
例示的な解決策では、ＵＥは、ＵＥ開始の参照信号要求メッセージとしてＭＡＣ制御エレメントを使用することができる。ＵＥにもｇＮＢ１にも知られている固有のＬＣＩＤ値（たとえば非予約ＬＣＩＤ値、たとえば０１１００）により、ＭＡＣ制御エレメントがＵＥ開始の参照信号要求として識別される。基本的な解決策に関してすでに述べたように、ＭＡＣ制御エレメントは、参照信号要求が示されている１つまたは複数のセルをｇＮＢ１が識別できるようにする情報を含むことができる。セル識別の１つの解決策は、ＭＡＣ制御エレメントの中でセルＩＤを直接搬送することであり得るが、こうすると、特に参照信号要求がいくつかの無線セルを指す場合に、ＭＡＣ制御エレメントのサイズがかなり増大することがある。
【０１２９】
セル識別の別の解決策は、セルのビットマップを提供することとすることができ、このビットマップは測定報告と合わさって、要求が示されている無線セルをｇＮＢ１が識別できるようにする。したがって、ＭＡＣ制御エレメントのサイズはかなり低減させることができる。具体的には、たとえば７ビットのビットマップがＭＡＣ制御エレメントの中に提供され、ビットマップの各ビットが測定報告中の特定の測定結果と関連付けられている。次いで測定報告は、隣接セルの測定結果に対し、これらの隣接セルのセルＩＤもまた含み、そのためビットマップは、ＵＥがＮＲ接続参照信号の送信を要求する対象の測定結果（したがって、無線セルおよびそのＩＤ）を識別するようになる。ＵＥは、ＭＡＣ制御エレメント中のセルビットマップが、ＵＥがＮＲ接続参照信号の送信を要求している対象の、無線セルと関連付けられている測定報告中の測定結果を適正に示していることに配慮しなければならない。
【０１３０】
例示的なＭＡＣ制御エレメントが図１５に示されており、この図は第２のオクテットに７ビットＣ１〜Ｃ７のセルビットマップを示し、このビットマップを使用して、測定結果が測定報告に含まれている隣接セルのどれに参照信号要求が送信されるべきかを示すことができる（それぞれのビットをたとえば１に設定することによって）。
【０１３１】
別の例示的な解決策では、ＵＥは、ＵＥ開始の参照信号要求メッセージとしてＰＤＣＰ制御ＰＤＵを使用することができる。ＵＥにもｇＮＢ１にも知られている固有のＰＤＵタイプ値（非予約ＰＤＵタイプ値のうちの１つ、たとえば１００）により、ＰＤＣＰ制御ＰＤＵがＵＥ開始の参照信号要求メッセージとして識別される。ＭＡＣ制御エレメント解決策について詳細に論じたように、ＰＤＣＰ制御ＰＤＵは、参照信号要求が示されている１つまたは複数のセルをｇＮＢ１が識別できるようにする情報を含むことができる。ＭＡＣ制御エレメントにおけるセル識別のための上で詳細に論じられた２つの解決策は、ＰＤＣＰ制御ＰＤＵに同様に適用することができる。
【０１３２】
例示的なＰＤＣＰ制御ＰＤＵが図１６に示されている。図１５に関連してすでに説明したように、７ビットＣ１〜Ｃ７のセルビットマップが、ＵＥがＮＲ接続参照信号の追加の送信を要求している対象の無線セルを識別する目的のために例示的に仮定されている。
【０１３３】
上述のように、サービングｇＮＢまたはＵＥどちらかによって開始される代わりに、ｇＮＢ間調整はまた、隣接ｇＮＢ（ここでは、たとえばｇＮＢ２）によって開始されてもよい。前記の場合、隣接ｇＮＢ２は、ＵＥ（および場合によって他の隣接するｇＮＢ）にサービスしているサービングｇＮＢ１に、ｇＮＢ２の無線セルにおけるＮＲ接続参照信号の送信を知らせる。これには、他のｇＮＢに、ＮＲ接続参照信号を送信するためにｇＮＢ２で使用されるスケジューリング情報、たとえば周波数領域および時間領域の無線リソースを知らせることが含まれ得る。このスケジューリング情報は、ＵＥがＮＲ接続参照信号をｇＮＢ２から受信できるようにするために必要なことがある。
【０１３４】
前出の実施態様に関してすでに説明したように、他の情報もまた、ＵＥがＮＲ接続参照信号を適正に受信し処理するために必要なことがある。たとえば、参照信号の送信は時間の特定の期間に制限されることがあり、あるいは特定の周期性で行われることがある。それに応じて、スケジューリング情報に加えて継続期間情報および／または周期性情報もまた、隣接するｇＮＢに提供されることがある。
【０１３５】
スケジューリング情報（および場合によって他の情報）を他のｇＮＢに提供した後であっても、ｇＮＢ２はなお、ＮＲ接続参照信号を送信するための１つまたは複数のビームを維持するかしないかの決定をすることができる。前出の解決策についてすでに説明したように、ｇＮＢ２は、エネルギーを節減するために、かつ／またはその無線セル内での干渉を低減するために、特に、ＲＲＣ接続状態のＵＥが前記ビームのカバレッジエリア内に位置していない場合に、いくつかのビームをオフに切り替える決定をすることがある。あるいは、ｇＮＢ２はまた、たとえば、ＮＲ接続参照信号を別のカバレッジエリアで（一時的に）供給するために、いくつかのビームの方向および／または送信出力を変える決定をすることもある。逆に、ｇＮＢ２はまた、ある時点でＮＲ接続参照信号のいくつかの作動停止ビームをオンに切り替える決定をすることもできる。
【０１３６】
１つの例示的な実施態様では、ＮＲ接続参照信号をｇＮＢ２から送信するためのビームの状態（たとえば、オフに切り替えられた、オンに切り替えられた、方向が変更されたなど）に対する隣接ｇＮＢの更新が維持されているように、ｇＮＢ２は、別の通知メッセージを隣接ｇＮＢに送信すると決定することがある。これらの後続通知メッセージは、上で説明した第１の通知メッセージと同様とすることができる。別の例示的な実施態様では、後続の通知メッセージは、状態が変化した１つまたは複数のビーム（たとえば、今はオフもしくはオンに切り替えられている、または方向が変えられている）をただ単に識別することによって、簡単なものにすることができる。前記目的のために、ＮＲ接続参照信号を送信するための様々なビームがそれぞれビーム指標と関連付けられて、ｇＮＢ２から送信されるビームが一意に識別される。ビーム指標はすでに、ｇＮＢ間調整の第１の通知メッセージ中のスケジューリング情報と一緒に他のｇＮＢへ送信することができる。その場合、後続の通知は、起動状態が変えられているビームのビーム指標を単に含むことができ、それにより、受信している隣接ｇＮＢは、どのビームが（対応するスケジューリング情報によって）ｇＮＢ２からもはや送信されない（または再び利用できない）かを推定することができる。
【０１３７】
図１７は、隣接するｇＮＢ２によって開始されたｇＮＢ間調整のための例示的なメッセージ交換を示す。図示のように、ｇＮＢ２がＮＲ接続参照信号の送信を他の隣接ｇＮＢに知らせることが仮定されている。これは、たとえば、ＮＲ接続参照信号の送信を初めて開始すると行われことがある。それに応じて、ｇＮＢ２は、参照信号通知メッセージを１つまたは複数の隣接するｇＮＢに（ここでは例示的にｇＮＢ１に）送信する。参照信号通知メッセージは上で説明したものに相当し、したがってセルＩＤ、および任意選択で、ＮＲ接続参照信号についてのスケジューリング情報を含み得る。
【０１３８】
隣接するｇＮＢは、ｇＮＢ２から通知メッセージを受信すると、図１７に例示的に示されているように、受信通知メッセージをｇＮＢ２に返信することによって通知メッセージの受信を任意選択で通知することができる。
【０１３９】
図１７に示された手順では次に、たとえば、ＵＥにｇＮＢ２のＮＲ接続参照信号についての情報を提供するために、測定制御メッセージをＵＥに送信することを例示的に続けることができる。しかし、ＵＥに送信されるこの測定制御メッセージは、たとえばＵＥがｇＮＢ２の近辺にない場合、またはＮＲ接続参照信号を測定する機能がいずれにしてもＵＥにない場合には、必要がないことがある。
【０１４０】
図１７はまた、ＮＲ接続参照信号（または、少なくともその１つのビーム）をオフに切り替える処理を示し、この処理は、別の参照信号通知メッセージの送信をトリガして、オフに切り替えられた参照信号を隣接するｇＮＢのうちの１つ以上に知らせることができる。上で説明したように、１つの例示的な実施態様では、この後続の通知には、オフに切り替えられているビームを識別するビーム指標を含むことしか必要がないことがある。図１７は、ＵＥが、たとえばその時間には適切でないので、オフに切り替えられたビームを知らされていないと例示的に仮定している。
【０１４１】
次表は、ｇＮＢ２から別の隣接ｇＮＢへ送信される例示的なＮＲ接続参照信号通知メッセージのコンテンツを示す。
【０１４２】
【表３】
2020519056.tif 000005
【０１４３】
これらから明らかなように、必須要素としてのメッセージはｇＮＢ２のセルＩＤを含み、さらにビームのリストを含むことが仮定されている。それぞれのビームに、ビーム指標（ＴＲＰ指標番号）が強制的に与えられ、スケジューリング情報および周期性情報が任意選択情報要素として与えられる。
【０１４４】
前出の解決策について説明したように、ＮＲ接続参照信号は動的に、すなわち変化する無線リソースによってスケジューリングすることができる。しかしこのことは、隣接ｇＮＢによって開始されたｇＮＢ間調整が、スケジューリングが動的に適合されるたびに有利にトリガされなければならないという意味では好ましくない。それゆえに、上で説明した隣接ｇＮＢによって開始されるｇＮＢ間調整は特に、最初に送信されたスケジューリング情報が長時間有効なままであるように、ＮＲ接続参照信号のスケジューリング情報が頻繁に変化しない場合に有利であることがある。
【０１４５】
有効なスケジューリング情報で隣接セルを更新しておくことができるので、サービングｇＮＢ１にはＮＲ接続参照信号のビームがｇＮＢ２から送信されていることが分かっており、したがって、それに応じて測定がＵＥによって前もって迅速に行われるように設定することができる。前記の点で、サービングｇＮＢ１は、たとえばＵＥがｇＮＢ２に近いときに、かつ／または早い時点で、ＵＥの測定設定の最大数に達していないかどうかも考慮に入れて、測定制御メッセージをＵＥへ送信することができる。
【０１４６】
前に何度か説明したように、次にＵＥは、測定制御された設定に従ってセル測定を行い、それに応じて測定報告をそのサービングｇＮＢへ送信する。次に測定結果報告を、たとえばサービングｇＮＢで使用し、隣接するセルにＵＥをハンドオーバするかどうかの決定をすることができる。図１７に例示的に示されているように、サービングｇＮＢ１は、隣接するｇＮＢ２へハンドオーバ要求を送信することによってハンドオーバを開始することができる。
【０１４７】
ｇＮＢ間調整の改善のためのいくつかの異なる、具体的にはどのエンティティがｇＮＢ間調整を開始するかに関して概念的に異なる解決策を上で説明した。これらの異なる解決策を互いに別々に説明したが、これらはまた並行して、すなわちそれぞれの解決策の最大の利益が得られるように組み合わせても適用できることに留意されたい。
【０１４８】
たとえば、隣接ｇＮＢによって開始されたｇＮＢ間調整は、前もって他のｇＮＢに知らせるように適用することができる。加えて、ｇＮＢ２のＮＲ接続参照信号がＵＥで受信されないと例示的に仮定すると、ＵＥ開始のｇＮＢ間調整またはサービングｇＮＢ開始のｇＮＢ間調整を用いて、ｇＮＢ２からのＮＲ接続参照信号の送信を要求することができる。その要求に応答してｇＮＢ２は次に、ビームをオンに切り替えてＮＲ接続参照信号をＵＥに供給すること、またはＮＲ接続参照信号をすでに供給している別のビームの方向を適切に変更することができる。以前に行われた隣接ｇＮＢ開始のｇＮＢ間調整により、必要なスケジューリング情報がｇＮＢ１にはすでに分かっているので、ｇＮＢ２は、このような情報をサービングｇＮＢに応答して再び提供する必要はない。さらに、隣接ｇＮＢ開始のｇＮＢ間調整の間に、対応する測定設定情報をサービングｇＮＢがすでに提供している場合には、測定のためにＵＥを適切に設定する必要がもはやないこともある。
【０１４９】
同様に、ｇＮＢ間調整は、ＵＥまたはサービングｇＮＢによって並行して開始することができる。
【０１５０】
別の態様
第１の態様によれば、移動通信システムの第１の無線セル内のユーザ機器にサービスする無線基地局が提供される。無線基地局は、隣接無線基地局がビームフォーム化参照信号をユーザ機器に供給していないと判定する処理回路を備える。隣接無線基地局は、その隣接無線セルにおいて全方向性参照信号およびビームフォーム化参照信号の送信を制御する。無線基地局の送信器が、参照信号要求を隣接無線基地局へ送信する。参照信号要求は、隣接無線基地局にビームフォーム化参照信号をユーザ機器に供給するように要求する。無線基地局の受信器が、要求されたビームフォーム化参照信号の送信についての情報を含む参照信号要求応答を隣接無線基地局から受信する。送信器は、要求されたビームフォーム化参照信号についての情報を含むユーザ機器への通知メッセージを送信する。
【０１５１】
第１の態様に加えて提供される第２の態様によれば、参照信号要求応答は、隣接無線基地局が要求されたビームフォーム化参照信号をユーザ機器に供給しないことを知らせる。１つの任意選択の実施態様では、ユーザ機器へ送信された通知メッセージは、要求されたビームフォーム化参照信号がユーザ機器に供給されないことを知らせる。
【０１５２】
第１または第２の態様に加えて提供される第３の態様によれば、参照信号要求応答は、隣接無線基地局が要求されたビームフォーム化参照信号をユーザ機器に供給することを知らせる。任意選択の一実施態様では、参照信号要求応答はさらに、要求されたビームフォーム化参照信号のスケジューリング情報を含む。任意選択の一実施態様では、スケジューリング情報は周波数領域および／または時間領域の無線リソースを識別する。任意選択の一実施態様では、ユーザ機器へ送信された通知メッセージは、ユーザ機器が要求されたビームフォーム化参照信号を受信できるように、要求されたビームフォーム化参照信号のスケジューリング情報を含む。
【０１５３】
第１〜第３の態様のうちの１つに加えて提供される第４の態様によれば、参照信号要求は、ユーザ機器の位置を導出するための情報を含む。任意選択の一実施態様では、位置を導出するためのこの情報は、全地球測位システム座標、またはユーザ機器から受信された測定報告から計算された相対測定結果、またはユーザ機器から受信された測定報告を含む。任意選択の一実施態様では、参照信号要求がさらに、隣接無線セルの識別情報を含む。
【０１５４】
第１〜第４の態様のうちの１つに加えて提供される第５の態様によれば、参照信号要求応答は、要求されたビームフォーム化参照信号を送信するためのビームのリストを含む。任意選択の一実施態様では、リスト中のビームごとに参照信号要求応答は、
・  要求されたビームフォーム化参照信号が隣接無線基地局から送信される期間についての継続期間情報、および／または
・  要求されたビームフォーム化参照信号が隣接無線基地局から送信される時間の周期性についての周期性情報を含む。
【０１５５】
第１〜第５の態様のうちの１つに加えて提供される第６の態様によれば、受信器は、ユーザ機器から、少なくとも隣接無線セルに対してユーザ機器によって行われた測定の１つまたは複数の結果を含む、測定結果を受信する。処理回路は、受信された測定報告に基づいて、隣接無線基地局がビームフォーム化参照信号をユーザ機器に供給していないと判定し、隣接無線セルについての１つまたは複数の測定結果が、全方向性参照信号に基づいてユーザ機器によって行われた測定の結果を含むが、要求されたビームフォーム化参照信号に基づいてユーザ機器によって行われた測定の結果は含まない場合に、参照信号要求を隣接無線基地局へ送信することを決定する。任意選択の一実施態様では、測定結果は、測定報告中でフラグと関連付けられて、関連付けられた測定結果が全方向性参照信号および／またはビームフォーム化参照信号に基づいて計算されたかどうかを示し、かつ／または、測定結果が測定識別情報と関連付けられ、この識別情報に基づいて、処理回路は、動作中のときに、関連付けられた測定結果が全方向性参照信号および／またはビームフォーム化参照信号に基づいて計算されたかどうかを判定する。
【０１５６】
第１〜第６の態様のうちの１つに加えて提供される第７の態様によれば、受信器は、隣接無線基地局によって供給されるべきビームフォーム化参照信号を要求するユーザ機器開始の参照信号要求をユーザ機器から受信する。処理回路は、受信したユーザ機器開始の参照信号要求に基づいて、隣接無線基地局がビームフォーム化参照信号をユーザ機器に供給していないと判定する。処理回路は、受信したユーザ機器開始の参照信号要求に基づいて、参照信号要求を隣接無線基地局へ送信することを決定する。
【０１５７】
第７の態様に加えて提供される第８の態様によれば、ユーザ機器開始の参照信号要求は、隣接無線セルを識別する情報を含み、任意選択で、対応するビームフォーム化参照信号が要求される別の無線セルを少なくとも識別する情報を含む。任意選択の一実施態様では、ユーザ機器開始の参照信号要求は媒体アクセス制御（ＭＡＣ）制御エレメントであり、ＭＡＣ制御エレメントがユーザ機器開始の参照信号要求であることを識別する所定の論理チャネル識別子を含む。あるいは、ユーザ機器開始の参照信号要求がパケットデータ収束プロトコル制御パケットデータユニット（ＰＤＣＰ制御ＰＤＵ）であり、ＰＤＣＰ制御ＰＤＵがユーザ機器開始の参照信号要求であることを識別する所定のタイプの識別子を含む。
【０１５８】
第１〜第８の態様のうちの１つに加えて提供される第９の態様によれば、全方向性参照信号は、その参照信号を全方向に実質的に同時に送信することによって得られ、かつ／または、そのように全方向に送信されるように方向が適時に連続的に変えられるビームの形で参照信号を送信することによって得られる。
【０１５９】
第１〜第９の態様のうちの１つに加えて提供される第１０の態様によれば、無線基地局は、第１の無線セル内の第２の全方向性参照信号の送信と、第１の無線セル内の第２のビームフォーム化参照信号の送信とを制御する。受信器は、第２のビームフォーム化参照信号を別のユーザ機器に供給するように要求する別の無線基地局からの第２の参照信号要求を受信する。処理回路は、第２のビームフォーム化参照信号を別のユーザ機器に供給するかどうかを決定する。第２のビームフォーム化参照信号を別のユーザ機器に供給する場合に、無線基地局は以下の、
・  第２のビームフォーム化参照信号の送信をオンに切り替えること、ならびに／または、別のユーザ機器が第２のビームフォーム化参照信号を受信できるように、第２のビームフォーム化参照信号の方向および／もしくは送信出力を変更することと、
・  スケジューリング情報を別の無線基地局へ、要求された第２のビームフォーム化参照信号に対して送信し、任意選択で、スケジューリング情報により、要求された第２のビームフォーム化参照信号を送信するために無線基地局によって使用される周波数領域および／または時間領域の無線リソースを識別すること、
・  任意選択で、第２のビームフォーム化参照信号が別のユーザ機器に供給されるべき期間を決定すること、
のうちの１つを少なくとも実行する。
【０１６０】
第２のビームフォーム化参照信号を別のユーザ機器に供給しない場合には、無線基地局は、第２の参照信号要求応答を別の無線基地局へ送信して、無線基地局が要求された第２のビームフォーム化参照信号を別のユーザ機器に供給しないことを知らせる。
【０１６１】
第１〜第１０の態様のうちの１つに加えて提供される第１１の態様によれば、処理回路は、ユーザ機器を隣接無線基地局へハンドオーバするかどうかを、隣接無線セルに対してユーザ機器によって行われた測定の結果を含むユーザ機器から受信した測定報告に基づいて決定する。肯定の場合、送信器は、ハンドオーバ要求を隣接無線基地局へ送信する。
【０１６２】
第１２の態様によれば、移動通信システムの無線基地局が提供される。無線基地局は、全方向性参照信号およびビームフォーム化参照信号の送信を無線基地局の第１の無線セルにおいて制御する。無線基地局は、ビームフォーム化参照信号についての情報を１つまたは複数の隣接無線基地局へ送信することを決定する処理回路を備える。無線基地局の送信器が、ビームフォーム化参照信号を送信するために無線基地局によって使用される無線リソースを識別できるようにするビームフォーム化参照信号のスケジューリング情報を含む参照信号通知メッセージを、１つまたは複数の隣接無線基地局へ送信する。
【０１６３】
第１２の態様に加えて提供される第１３の態様によれば、送信器は、全方向性参照信号およびビームフォーム化参照信号を第１の無線セルにおいて送信する。任意選択の一実施態様では、処理回路は、ビームフォーム化参照信号の送信をオフに切り替えるかどうか、またはビームフォーム化参照信号の方向を変更するかどうかを決定する。
【０１６４】
第１２または第１３の態様に加えて提供される第１４の態様によれば、参照信号通知メッセージは第１の無線セルの識別情報を含み、ビームフォーム化参照信号を送信するためのビームのリストをさらに含む。任意選択の一実施態様では、リスト中のビームごとに参照信号通知メッセージは、
・  スケジューリング情報、および
・  ビームフォーム化参照信号が無線基地局から送信される期間についての継続期間情報、および／または
・  ビームフォーム化参照信号が無線基地局から送信される時間の周期性についての周期性情報
を含む。
【０１６５】
第１２〜第１４の態様のうちの１つに加えて提供される第１５の態様によれば、参照信号通知メッセージは、ビームフォーム化参照信号の識別情報を含む。送信器は、ビームフォーム化参照信号の識別情報を含む別の参照信号通知メッセージを１つまたは複数の隣接無線基地局へ送信して、識別されたビームフォーム化参照信号が現在オンまたはオフに切り替えられていることを１つまたは複数の隣接無線基地局に知らせる。
【０１６６】
第１６の態様によれば、移動通信システムのユーザ機器が提供される。ユーザ機器は、隣接無線基地局がビームフォーム化参照信号をユーザ機器に供給していないと判定する処理回路を備える。隣接無線基地局は、その隣接無線セルにおいて全方向性参照信号およびビームフォーム化参照信号の送信を制御する。ユーザ機器の送信器が参照信号要求を、ユーザ機器にサービスするサービング無線基地局へ送信する。参照信号要求は、ビームフォーム化参照信号をユーザ機器に供給するように隣接無線基地局に要求することをサービング無線基地局に要求するものである。ユーザ機器の受信器が、要求されたビームフォーム化参照信号についての情報を含む通知メッセージをサービング無線基地局から受信する。
【０１６７】
第１６の態様に加えて提供される第１７の態様によれば、受信器は、全方向性参照信号およびビームフォーム化参照信号を受信する。処理回路は、全方向性参照信号およびビームフォーム化参照信号の測定を行う。処理回路は、行われた測定の結果を含む測定報告を準備する。任意選択の一実施態様では、測定結果が測定報告中でフラグと関連付けられて、関連付けられた測定結果が全方向性参照信号および／またはビームフォーム化参照信号に基づいて計算されたかどうかを示し、かつ／または、測定結果が測定識別情報と関連付けられ、この識別情報に基づいて、サービング無線基地局が、関連付けられた測定結果が全方向性参照信号および／またはビームフォーム化参照信号に基づいて計算されたかどうかを判定する。
【０１６８】
第１６または第１７の態様に加えて提供される第１８の態様によれば、ユーザ機器から送信される参照信号要求は、隣接無線基地局の隣接無線セルを識別する情報を含み、任意選択で、対応するビームフォーム化参照信号が要求される別の無線セルを少なくとも識別する情報を含む。任意選択の一実施態様では、参照信号要求は媒体アクセス制御（ＭＡＣ）制御エレメントであり、ＭＡＣ制御エレメントが参照信号要求であることを識別する所定の論理チャネル識別子を含む。あるいは、参照信号要求はパケットデータ収束プロトコル制御パケットデータユニット（ＰＤＣＰ制御ＰＤＵ）であり、ＰＤＣＰ制御ＰＤＵが参照信号要求であることを識別する所定のタイプの識別子を含む。
【０１６９】
第１８の態様に加えて提供される第１９の態様によれば、隣接無線セルを識別するための情報は、無線セル識別情報であるか、２つ以上のビットがあるビットマップであり、ビットマップのビットのそれぞれが、隣接セルに対しユーザ機器によって準備された測定報告中の測定の結果と関連付けられており、それぞれの結果が隣接無線セルの無線セル識別情報と関連付けられている。
【０１７０】
第２０の態様によれば、移動通信システムの第１の無線セル内のユーザ機器にサービスする無線基地局を動作させる方法が提供される。この方法は、無線基地局によって実行される以下のステップを含む。隣接無線基地局がビームフォーム化参照信号をユーザ機器に供給していないと判定される。隣接無線基地局は、その隣接無線セルにおいて全方向性参照信号およびビームフォーム化参照信号の送信を制御する。参照信号要求が隣接無線基地局へ送信され、参照信号要求は隣接無線基地局にビームフォーム化参照信号をユーザ機器に供給するように要求する。隣接無線基地局から、要求されたビームフォーム化参照信号の送信についての情報を含む参照信号要求応答が受信される。要求されたビームフォーム化参照信号についての情報を含むユーザ機器への通知メッセージが送信される。
【０１７１】
第２１の態様によれば、移動通信システムのユーザ機器を動作させる方法が提供される。この方法は、ユーザ機器によって実行される以下のステップを含む。隣接無線基地局がビームフォーム化参照信号をユーザ機器に供給していないと判定される。隣接無線基地局が、その隣接無線セルにおいて全方向性参照信号およびビームフォーム化参照信号の送信を制御する。参照信号要求が、ユーザ機器にサービスするサービング無線基地局へ送信される。参照信号要求は、ビームフォーム化参照信号をユーザ機器に供給するように隣接無線基地局に要求することをサービング無線基地局に要求するものである。要求されたビームフォーム化参照信号についての情報を含む通知メッセージが、サービング無線基地局から受信される。
【０１７２】
本開示のハードウェアおよびソフトウェア実施態様
本開示は、ソフトウェア、ハードウェア、またはハードウェアと組み合わせたソフトウェアによって実現することができる。上述の各実施形態の説明に使用された各機能ブロックは、集積回路などのＬＳＩによって部分的または全体的に実現することができ、各実施形態で説明された各処理は、同じＬＳＩによって、または複数のＬＳＩの組み合わせによって部分的または全体的に制御することができる。ＬＳＩは、チップとして個々に形成することができ、あるいは１つのチップが、機能ブロックの一部または全部を含むように形成されてもよい。ＬＳＩは、それに結合されたデータ入出力部を含むことができる。ＬＳＩは、本明細書では、集積度の違いに応じてＩＣ（集積回路）、システムＬＳＩ、超ＬＳＩ、または極超ＬＳＩと呼ばれることがある。しかし、集積回路を実装する技法はＬＳＩに限定されず、専用回路、汎用プロセッサ、または特定目的プロセッサを使用して実現されてもよい。加えて、ＬＳＩの製造後にプログラムできるＦＰＧＡ（フィールドプログラマブルゲートアレイ）、またはＬＳＩの内部に配置された回路セルの接続および設定を再構成できる再構成可能プロセッサを使用することもできる。本開示は、デジタル処理またはアナログ処理として実現することができる。半導体技術または他の派生技術の進歩の結果として将来の集積回路技術がＬＳＩに取って代わる場合、機能ブロックは、その将来の集積回路技術を使用して集積することもできる。生物工学もまた適用することができる。
【０１７３】
さらに、様々な実施形態はまた、ソフトウェアモジュールによって実施することもでき、このモジュールはプロセッサによって、または直接ハードウェアの形で実行される。また、ソフトウェアモジュールの組み合わせ、およびハードウェア実装も可能であり得る。ソフトウェアモジュールは、任意の種類のコンピュータ可読記憶媒体、たとえば、ＲＡＭ、ＥＰＲＯＭ、ＥＥＰＲＯＭ、フラッシュメモリ、レジスタ、ハードディスク、ＣＤ−ＲＯＭ、ＤＶＤなどに記憶することができる。様々な実施形態の個々の特徴は個別に、または任意の組み合わせで、別の実施形態の素材になり得ることにさらに留意されたい。
【０１７４】
当業者には、多くの変形形態および／または修正形態が、特定の実施形態で示された本開示に加えられ得ることが理解されよう。したがって、本実施形態は、全ての態様に関して限定的ではなく説明的なものと考えられるべきである。
【図１】
2020519056.tif 000006
【図２】
2020519056.tif 000007
【図３】
2020519056.tif 000008
【図４】
2020519056.tif 000009
【図５】
2020519056.tif 000010
【図６】
2020519056.tif 000011
【図７】
2020519056.tif 000012
【図８】
2020519056.tif 000013
【図９】
2020519056.tif 000014
【図１０】
2020519056.tif 000015
【図１１】
2020519056.tif 000016
【図１２】
2020519056.tif 000017
【図１３】
2020519056.tif 000018
【図１４】
2020519056.tif 000019
【図１５】
2020519056.tif 000020
【図１６】
2020519056.tif 000021
【図１７】
2020519056.tif 000022
【国際調査報告】
2020519056.tif 000023
2020519056.tif 000024